(57)【要約】（ａ）抄紙機上の原料のアクティビティ、振幅、サイズ、スケール、アクティビティの所要時間、またはそれらの組合せを監視する１つまたは複数のセンサと、（ｂ）１つまたは複数のセンサおよび抄紙機内の１つまたは複数のホイル区分と通信している制御システムとを備え、制御システムは、原料のアクティビティ、振幅、サイズ、スケール、アクティビティの所要時間、またはそれらの組合せを測定して、１つまたは複数のホイル区分の角度、高さ、または両方が、原料のアクティビティ、振幅、サイズ、スケール、アクティビティの所要時間、またはそれらの組合せを変更するために調整されるように、アクティビティ、振幅、サイズ、スケール、アクティビティの所要時間、またはそれらの組合せを原料の中の繊維の地合に相関させる、監視システム。【選択図】図１Ａ
2019501305.tif 000002
【特許請求の範囲】
【請求項１】
ａ．抄紙機上の原料のアクティビティを監視する１つまたは複数のセンサと、
ｂ．前記１つまたは複数のセンサおよび前記抄紙機内の１つまたは複数のホイル区分と通信している制御システムとを備え、
前記制御システムが、前記原料の前記アクティビティを測定して、前記１つまたは複数のホイル区分の角度、高さ、または両方が、前記原料の前記アクティビティを変更するために調整されるように、前記アクティビティを前記原料の中の繊維の地合に相関させる、監視システム。
【請求項２】
前記１つまたは複数のセンサが、前記抄紙機の側部に沿って位置付けられ、前記抄紙機上のワイヤーと実質的に平行な方向で、前記抄紙機を監視する１つまたは複数の低角度センサである、請求項１に記載の監視システム。
【請求項３】
前記アクティビティが、前記１つまたは複数のホイル区分に対する所定領域での振幅、サイズ、スケール、アクティビティの所要時間、またはその組合せである、請求項１または２に記載の監視システム。
【請求項４】
前記１つまたは複数の低角度センサが、前記原料の前記振幅を測定する、請求項２または３に記載の監視システム。
【請求項５】
前記１つまたは複数の低角度センサが、前記抄紙機のヘッドボックスとクーチロールとの間に位置付けられる複数の低レベルセンサであり、前記複数の低レベルセンサが、前記抄紙機のワイヤーと同一平面上にある少なくとも一部分を有する、請求項２〜４のいずれか一項に記載の監視システム。
【請求項６】
前記１つまたは複数のセンサが、１つまたは複数の高角度センサであり、前記１つまたは複数の高角度センサが、前記抄紙機のワイヤーに対してある角度に位置付けられる、請求項１〜５のいずれか一項に記載の監視システム。
【請求項７】
前記監視システムが、レベルデバイスを含み、前記１つまたは複数のセンサが、前記レベルデバイスによって形成されたアクティビティラインより上方の前記原料の振幅である、前記原料の前記アクティビティを測定し、所定区域内での前記原料の前記アクティビティ、振幅、サイズ、スケール、アクティビティの所要時間、またはその組合せが、前記所定領域内の前記１つまたは複数のセンサによって捕捉された輝点、多数のディンプル、または両方の密度である、請求項１〜６のいずれか一項に記載の監視システム。
【請求項８】
前記１つまたは複数のセンサが、超音波、赤外線、ＣＭＯＳセンサ、電荷結合素子、マトリクスカメラ、エリアスキャンカメラ、ラインスキャンカメラ、マイクロ波、温度センサ、原子核、静電容量、圧力、真空、またはその組合せである、請求項１〜７のいずれか一項に記載の監視システム。
【請求項９】
ヘッドボックスから出る原料噴射、フォーミングボードの場所、前記ヘッドボックスに対する前記フォーミングボードの場所、前記原料噴射の角度、ワイヤーに対する前記原料噴射の衝突角度、カットスルー、またはその組合せを監視する、前記監視システムが、フォーミングボードの前で、前記フォーミングボードの後での前記１つまたは複数のフォーミング区分の各ホイルで、または両方で、前記原料から除去された水の量を測定する、または両方をする、請求項１〜８のいずれか一項に記載の監視システム。
【請求項１０】
ａ．制御装置と、
ｂ．送信器と、
ｃ．抄紙機の１つまたは複数の場所を監視する監視システムから信号を受信する１つまたは複数の通信デバイスとを備え、
前記１つまたは複数の通信デバイスが、前記監視システムから前記信号を受信し、前記信号を前記制御装置に送信し、そこでは、前記制御装置が、アクティビティをアクティビティ変更と比較し、
前記送信器が、制御信号を前記制御装置から抄紙機の１つまたは複数のホイルに送信する、制御システム。
【請求項１１】
前記送信器が、前記抄紙機の前記１つまたは複数のホイルに直接接続され、または前記送信器が、前記抄紙機の前記１つまたは複数のホイルに無線で接続され、前記制御システムが、スライス開口、フォーミングボードの場所、原料噴射の角度、原料噴射の量、前記フォーミングボードの前で除去される水の量、前記１つまたは複数のホイルの高さ、前記１つまたは複数のホイルの角度、フォーミングシャワー、またはその組合せを調整する、請求項１０に記載の制御システム。
【請求項１２】
前記送信器が、遠く離れた場所からユーザによって制御可能であり、または前記送信器が、前記ホイルに近接した場所からユーザによって制御可能であり、前記制御システムが、スライス開口、フォーミングボードの場所、原料噴射の角度、原料噴射の量、前記フォーミングボードの前で除去される水の量、前記１つまたは複数のホイルの高さ、前記１つまたは複数のホイルの角度、フォーミングシャワー、またはその組合せを調整する、請求項１１に記載の制御システム。
【請求項１３】
ａ．抄紙機の１つまたは複数の領域を監視して、前記１つまたは複数の領域の現在のアクティビティを取得することと、
ｂ．前記現在のアクティビティを基準アクティビティとそれぞれ比較して、前記１つまたは複数の領域のアクティビティの違いを決定すること、
とを含む、方法。
【請求項１４】
前記方法が、アクティビティの違い、振幅の違い、サイズの違い、スケールの違い、アクティビティの所要時間の違い、またはそれらの組合せに基づいて前記抄紙機の１つまたは複数のホイルを調整することのステップを含む、請求項１３に記載の方法。
【請求項１５】
前記方法が、予測された地合を発生させるために、前記現在のアクティビティに基づいて前記抄紙機から紙の地合を予測するステップを含む、請求項１３または１４に記載の方法。
【発明の詳細な説明】
【技術分野】
【０００１】
本教示は、ブレード（例えばホイル）、真空レベル、スライス開口、噴射対ワイヤー比率、アクティビティシャワー、または検出状態に基づいた抄紙機上でのそれらの組合せなどの、抄紙機の１つまたは複数の構成要素を作動させるための制御システムに接続された監視システム、および抄紙機を制御する方法に関する。
【背景技術】
【０００２】
標準的には、長網抄紙機は、流れ方向に動くワイヤーを備えたウェットエンドを含む。ワイヤーは、幅（すなわち幅方向）を有し、原料が、実質的にはワイヤーの全幅に沿って付けられる。複数のブレードが、ワイヤーの下に位置付けられており、複数のブレードは、ワイヤー上の原料から水を除去することを支援する。ブレードは、標準的には静的であるが、最近になって、作動するホイルおよびブレードが、ウェットエンドに加えられるようになった。ワイヤー上の実質的に全ての原料を保持するために、デッケルが、ワイヤーの両縁に使用され得る。デッケルは、抄紙機上に縁を構築して、原料、水、微粉、フィラー、またはそれらの組合せを抄紙機のワイヤー上に保持するのに使用される。標準的には、抄紙機の修正は、ユーザが、ドライエンド試験結果に基づいて、スライス開口または機械の速さなどの機械特性を調整することによって行われる。したがって、ドライエンド紙を試験することと、抄紙機のウェットエンドで機械調整を行うこととの間には遅延が存在し、仕様製品から外れた、さらなる廃棄物を生じさせる、または等級変更の所要時間を増大させることになる。
【０００３】
抄紙機のための監視および調整デバイスの例は、米国特許第５，２３９，３７６号、第５，４７２，５７１号、第５，４９２，６０１号、第８，５５１，２９３号、第９，０４５，８５９号、国際公開２００３／０８１２１９で開示されており、同特許および特許出願の全てを、あらゆる目的のために参考文献として本明細書に明示的に援用する。したがって、アクティビティ、振幅、スケール、変更の所要時間、テーブルアクティビティ、またはそれらの組合せを監視するデバイスの必要性が存在する。必要とされるのは、アクティビティ、振幅、スケール、変更の所要時間、またはそれらの組合せを監視して保存し、後日、保存されたアクティビティ、振幅、スケール、変更の所要時間、テーブルアクティビティ、またはそれらの組合せを再現するように抄紙機をリセットするデバイスである。必要とされるのは、ウェットエンドを監視して、ドライエンド試験データを待たずに、リアルタイム変更を行うことを可能にする監視システムである。必要とされるのは、アクティビティの振幅およびスケールを測定する監視システムである。必要とされるのは、抄紙機の実質的な頭上に位置付けられて、原料が監視システムの下で移動するときに、抄紙機の幅方向を監視する監視システムである。
【発明の概要】
【課題を解決するための手段】
【０００４】
本教示の１つの可能な実施形態は、（ａ）抄紙機上の原料のアクティビティ、振幅、スケール、アクティビティの所要時間、またはそれらの組合せを監視する１つまたは複数のセンサと、（ｂ）１つまたは複数のセンサおよび抄紙機内の１つまたは複数のホイル区分と通信している制御システムとを備え、制御システムは、原料のアクティビティ、振幅、スケール、アクティビティの所要時間、またはそれらの組合せを測定して、１つまたは複数のホイル区分の角度、高さ、または両方が、原料のアクティビティ、振幅、スケール、アクティビティの所要時間、またはそれらの組合せを変更するために調整されるように、アクティビティ、振幅、スケール、アクティビティの所要時間、またはそれらの組合せを原料の中の繊維の地合に相関させる、監視システムを提供する。
【０００５】
本教示は、（ａ）制御装置を備える制御システムと、（ｂ）送信器と、（ｃ）抄紙機の１つまたは複数の場所を監視する監視システムから信号を受信する１つまたは複数の通信デバイスとを提供し、１つまたは複数の通信デバイスが、監視システムから信号を受信し、信号を制御装置に送信し、そこでは、制御装置がアクティビティ、振幅、サイズ、スケール、アクティビティの所要時間、またはそれらの組合せをアクティビティ変更と比較し、送信器が、制御信号を制御装置から抄紙機の１つまたは複数のホイル、ブレード、真空、スライス開口、噴射対ワイヤー比率、またはそれらの組合せに送信する。
【０００６】
本教示は、（ａ）抄紙機の１つまたは複数の領域を監視して、１つまたは複数の領域の現在のアクティビティ、現在の振幅、現在のサイズ、現在のスケール、アクティビティの現在の所要時間、またはそれらの組合せを取得することと、（ｂ）現在のアクティビティ、現在の振幅、現在のサイズ、現在のスケール、アクティビティの現在の所要時間、またはそれらの組合せを、基準アクティビティ、基準振幅、基準サイズ、基準スケール、アクティビティの基準所要時間、またはそれらの組合せとそれぞれ比較して、１つまたは複数の領域の中のアクティビティの違い、振幅の違い、サイズの違い、スケールの違い、アクティビティの所要時間の違い、またはそれらの組合せを決定することとを含む、方法を提供する。
【０００７】
本教示は、（ａ）抄紙機上の原料のアクティビティを監視する１つまたは複数のセンサと、（ｂ）１つまたは複数のセンサおよび抄紙機内の１つまたは複数のホイル区分と通信している制御システムとを備え、制御システムは、原料のアクティビティを測定して、１つまたは複数のホイル区分の角度、高さ、または両方が、原料のアクティビティを変更するために調整されるように、アクティビティを原料の中の繊維の地合に相関させる、監視システムを提供する。
【０００８】
制御システムは、（ａ）制御装置と、（ｂ）送信器と、（ｃ）抄紙機の１つまたは複数の場所を監視する監視システムから信号を受信する１つまたは複数の通信デバイスとを備え、１つまたは複数の通信デバイスが、監視システムから信号を受信し、信号を制御装置に送信し、そこでは、制御装置が、アクティビティをアクティビティ変更と比較し、送信器が、制御信号を制御装置から抄紙機の１つまたは複数のホイルに送信する。
【０００９】
方法は、（ａ）抄紙機の１つまたは複数の領域を監視して、１つまたは複数の領域の現在のアクティビティを取得することと、（ｂ）現在のアクティビティを基準アクティビティとそれぞれ比較して、１つまたは複数の領域のアクティビティの違いを決定することとを含む。
【００１０】
本教示は、アクティビティ、スケール、振幅、変更の所要時間、テーブルアクティビティ、またはそれらの組合せを監視して保存し、後日、保存されたアクティビティ、スケール、振幅、変更の所要時間、またはそれらの組合せを再現するように抄紙機をリセットするデバイスを提供する。本教示は、ウェットエンドを監視し、ドライエンド試験データを待たずに、リアルタイム変更を行うことを可能にする監視システムを提供する。本教示は、アクティビティの振幅およびスケールを監視する監視システムを提供する。本教示は、抄紙機の実質的な頭上に位置付けられて、原料が監視システムの下で移動するときに、抄紙機の幅方向を監視する監視システムを提供する。
【図面の簡単な説明】
【００１１】
【図１Ａ】抄紙機のウェットエンドの斜視図である。
【図１Ｂ】抄紙機の断面の平面図である。
【図１Ｃ】線１Ｃ−１Ｃに沿った図１Ｂの側面図である。
【図１Ｄ】監視システムを含む抄紙機のウェットエンドの側面図である。
【図２Ａ】システム変更前の低角度センサからの画像である。
【図２Ｂ】システム変更後の低角度センサからの画像である。
【図３Ａ】システム変更前の低角度センサからの画像である。
【図３Ｂ】システム変更後の低角度センサからの画像である。
【図４】アクティビティ変更の量およびアクティビティラインの上の強調されたアクティビティのリアルタイム解析を示すアクティビティラインを備えた３Ｂからの画像である。
【図５】原料アクティビティ脈動のシミュレーションである。
【図６】抄紙機上の高角度センサを図示する。
【図７Ａ】システム変更前の高角度センサからの画像である。
【図７Ｂ】システム変更後の高角度センサからの画像である。
【図８Ａ】脱水システムの一部分と係合する前の、高角度センサから発生される基準画像である。
【図８Ｂ】システム変更後の、画像が監視領域に分割されている、高角度センサからの画像である。
【図９】各監視領域のアクティビティ測定を図示する。
【図１０Ａ】制御流れ図を図示する。
【図１０Ｂ】制御流れ図を図示する。
【図１１】抄紙機のヘッドボックスおよびウェットエンドの切断側面図を図示する。
【図１２】抄紙機のヘッドボックスおよびウェットエンドと、抄紙機構成要素の相対的な間隔の側面図である。
【図１３】ドライライン、ウェットライン、およびアクティビティラインの斜視図である。
【図１４Ａ】低原料アクティビティを有するように調整されたブレードの区分を図示する。
【図１４Ｂ】中間原料アクティビティを有するように調整されたブレードの区分を図示する。
【図１４Ｃ】高原料アクティビティを有するように調整されたブレードの区分を図示する。
【図１４Ｄ】高さ可調ブレードおよび角度可調ブレードの両方を含む区分の側面図である。
【図１５Ａ】低原料アクティビティを有するように調整されたブレードの区分を図示する。
【図１５Ｂ】高原料アクティビティを有するように調整されたブレードの区分を図示する。
【図１５Ｃ】高さ可調ブレードおよび静的ブレードの両方を含む区分の側面図である。
【図１６Ａ】低原料アクティビティを有するように調整されたブレードの区分を図示する。
【図１６Ｂ】高原料アクティビティを有するように調整されたブレードの区分を図示する。
【図１６Ｃ】角度可調ブレードおよび静的ブレードの両方を含む区分の側面図である。
【図１７Ａ】原料アクティビティを示す、カメラからのスクリーンショットである。
【図１７Ｂ】原料アクティビティを示す、カメラからのスクリーンショットである。
【図１７Ｃ】原料アクティビティを示す、カメラからのスクリーンショットである。
【図１７Ｄ】原料アクティビティを示す、カメラからのスクリーンショットである。
【発明を実施するための形態】
【００１２】
本明細書に提示される説明および図は、本発明、その原則、およびその実用的な適用を他の当業者に知らせることを目的としている。当業者であれば、特定の使用の要件に最適であるように、数多くの形態の本発明を、適合させて、適用することができる。したがって、記載される本発明の特定の実施形態は、網羅的であるようにまたは教示を制限するようには、意図されていない。したがって、教示の範囲は、前述の説明を基に決定されるべきではなく、その代わりに、添付の請求の範囲と共に、当該特許請求の範囲が権利を有する等価物の全範囲を基に決定されなければならない。特許出願および公告を含む、すべての論文および参考文献の開示は、あらゆる目的のために参考文献として援用される。さらに、後続の特許請求の範囲から収集されるであろう他の組合せも可能であり、それらも、参考文献として本明細書へ援用される。
【００１３】
本教示は、抄紙機および好ましくは長網抄紙機用の改良型監視システム、制御システム、方法、またはそれらの組合せを提供することに基礎を置いている。抄紙機は、流れ方向に移動する原料が、監視および制御され得るどのような抄紙機であってもよい。本明細書に教示される抄紙機は、紙を作成するように機能するどのような抄紙機であってもよい。抄紙機は、紙を構成するどのような様式および／または種類であってもよい。抄紙機は、ウェットエンドで原料を付けるヘッドボックスを含む。
【００１４】
ヘッドボックスは、重力で送られる、加圧される、または両方の場合がある。ヘッドボックスは、ウェットエンドにおいてワイヤーが、動いている速さよりも低速（例えばドラッグモード）で原料を付けることができる。ヘッドボックスは、ウェットエンドにおいてワイヤーが、動いている速さよりも高速（例えばラッシュモード）で原料を付けることができる。ヘッドボックスは、ウェットエンドにおいてワイヤーが動いているのと実質的に同じ速さ（例えば正方形モード）で原料を付けることができる。ヘッドボックスは、ブレストロールより上で、ホイル上で、またはその組合せでウェットエンドに原料を付けるように機能することができる。ヘッドボックスは、ワイヤーがフォーミングボードまたはフォーミング区分を通り越している間、ワイヤーに原料を付けるように機能することができる。ヘッドボックスは、ブレストロールおよびフォーミングボードに近接した場所でワイヤーに原料を付けることができる。ヘッドボックスは、上下に移動可能である最上部分を有する場合がある。例えば、流体の静水頭は、ヘッドボックスの最上部を上下に動かすことによって調整され得る、または、ワイヤーに付けられた原料の量は、ヘッドボックスの最上部を上下に動かすこと（例えばスライス開口を調整すること）によって調整され得る。ヘッドボックスは、１つまたは複数のスライス開口を含む場合がある。
【００１５】
スライス開口は、原料をヘッドボックスからワイヤー上へ案内するように機能することができる。スライス開口は、原料がワイヤー上へ移動する速度、ワイヤーの上の原料の量、原料がワイヤーに接近する角度、またはその組合せを変えることができる。スライス開口は、調整され得る。スライス開口は、移動可能である最上部分または底部分を有する場合がある。最上部分は、高さを増やすことができる、またはスライス開口の高さを減らすことができる。最上部分は、最上部分と底部分との間の距離を増やしながら、原料噴射の角度を変更するように枢動することができる。底部分は、流れ方向に移動可能であり得る。底部分は、ヘッドボックスとフォーミングボードとの間の距離を変更することができる。底部分、最上部分、または両方は、ワイヤー、フォーミングボード、または両方に対する原料噴射の角度を変更することができる。最上部分、底部分、または両方は、流れ方向（例えば前後方向）および上下（例えばワイヤーに向かうおよびワイヤーから離れる向き）に動くことができ、一部分をワイヤーに向かうおよびワイヤーから離れる向きに枢動することができる、またはその組合せをすることができる。スライス開口は、ワイヤー、ブレストロール、フォーミングボード、フォーミング区分、またはその組合せに対する、原料噴射の接触場所、接触角度、原料速度、またはそれらの組合せに影響を及ぼすことができる。
【００１６】
原料噴射は、原料をワイヤー上に置きながら、一方で原料の繊維に特定の特性を付与し始めるように機能する。例えば、原料噴射が、ワイヤーより低速で動いている（例えばドラッグ）場合には、繊維は、流れ方向に配列される傾向があり得る。別の例では、原料噴射がワイヤーと同じ速さで動いている場合には、繊維は、原料噴射がラッシュまたはドラッグであるときよりも、よりランダムに方向付けられる傾向があり得る。原料噴射は、ワイヤーと実質的に平行であり得る。原料噴射は、ワイヤーに影響を与えることができる。原料噴射は、原料噴射が、ある角度でワイヤーに向かうように、ワイヤーと平行な平面に対して約１度以上、約３度以上、約５度以上、約７度以上、または約１０度以上の角度でスライス開口から延びることができる。原料噴射は、原料噴射が、ある角度でワイヤーに向かうように、ワイヤーと平行な平面に対して約４５度以下、約３０度以下、または約１５度以下の角度でスライス開口から延びることができる。原料噴射は、ワイヤーへ移される前に、最初に、スライス開口の底に当たることができる。原料噴射は、スライス開口から出てきて、ブレストロールまたはフォーミングボードの上方で最初にワイヤーと接触することができる。原料噴射は、スライス開口を出て、ブレストロールとフォーミングボードもしくはフォーミング区分との間でワイヤーに当たることができる。角度、接触場所、速さ、速度、またはその組合せは、抄紙機のワイヤー上で測定されたアクティビティに応じて制御され得る。角度、速さ、粘度、接触場所、またはその組合せに応じて原料は、水が強制的にワイヤーの中に通されることによって、ワイヤーを用いて脱水され始めることができる。
【００１７】
ワイヤーは、ブレストロールとクーチロールとの間を移動して、原料を運ぶ多孔性連続ベルトであり得る。ワイヤーは、さまざまなホイル区分の中でホイルによって動かされるおよび変更されるだけ十分な可撓性を有していることができる。ワイヤーは、金属、プラスチック、ポリマー、布、不織布、またはその組合せであり得る。ワイヤーは、水が原料から除去されても、固形物は、保持され得るように、孔を含むことができる。ウェットエンドは、原料を伴って流れ方向に移動するワイヤーを有することができ、原料は、ワイヤーが流れ方向に動くとき脱水される。好ましくは、ウェットエンドは、流れ方向に移動するエンドレスワイヤーを含む。ワイヤーの幅は、幅方向に延びることができる。ウェットエンドは、幅方向に沿って走行して、ワイヤーから落ちる原料を有することができる、対向する縁を有することができる。ウェットエンドは、ワイヤーを包んで、エンドレスワイヤーが形成されるように、流れ方向とは逆方向にワイヤーを案内するように機能するクーチロールで終わることができる（すなわちクーチロールエンド）。クーチロールは、脱水するように機能することができる。クーチロールは、吸込を含むことができる。クーチロールは、ウェットエンドを終わらせることができる。クーチロールは、シートをウェットエンドからプレス区分の中へ案内することを支援することができる。原料が、紙状品質を有していて自立するように、原料は、クーチロールに到達するとき、十分に乾燥していることができる。原料にドライラインが見えれば、原料は、十分に自立していることができる。ドライラインは、監視システムによって監視されることができる。ワイヤーは、ヘッドボックスからプレス区分まで原料を運ぶことができる。
【００１８】
本明細書で論じられる原料は、特定の最終的な紙特性を強化するため、水と随意的な紙化学製品とに混合された繊維のスラリーである。原料は、繊維、微粉、フィラー、化学製品、未加工繊維、再生繊維、合成繊維、鉱物繊維、ガラス繊維、ポリマー繊維、またはそれらの組合せを含むことができる。原料は、好ましくは、ヘッドボックスでは、水分９０パーセント以上、９５パーセント以上、または９９パーセント以上でさえもある（例えば、重量で約１パーセント以下の原料および９９パーセント以上の水の粘度を有する）。原料が、流れ方向（すなわちウェットエンドからドライエンドへ動く方向）に移動するとき、ホイルもしくはブレード、およびホイルのグループ（例えばホイル区分）もしくはブレードのグループ（例えばブレード区分）は、水を除去して、粘度（すなわち原料の中の水のパーセンテージ）を減少させる。原料がウェットエンドの方へ移動するとき、水は、原料から絶えず除去され得る。いくつかの位置における原料は、本質的に液体の状態から、ドライライン（すなわち、原料が暗闇から光へ進む抄紙機上の可視的な点（典型的に約８パーセントから約１０パーセントまでの間のシート粘度で））と称される、本質的に固体の状態になる。
【００１９】
ドライラインは、シートが形成されていることと、シートが、固体になっていることを示すように機能する。水は、「ドライライン」が見える点まで除去され得る。ドライラインは、原料が、光沢があるように、または湿ったようにはもはや見えないように、十分な水量が除去されている、幅方向（すなわち流れ方向まで９０度の方向）にできるラインである。ドライラインは、実質的にまっすぐである場合がある。ドライラインは、ジグザグ状である場合があり、ドライラインは、ドライラインが抄紙機の中心に現れるより前に、抄紙機の縁に現れる場合もある。例えば、ドライラインは、１つまたは複数の指状部を有するように見える場合がある。ドライラインは、１つまたは複数のセンサによって監視され得る。１つまたは複数のセンサは、ドライラインのウェット側からドライ側までコントラストを監視することができる。１つまたは複数のセンサは、ドライラインのウェット側からドライ側まで遷移域の幅を監視することができる。１つまたは複数のセンサは、ドライラインの形状、ドライラインから延びる指状部の長さ、ドライラインの領域または指状部の変動についてのヒストグラム、またはその組合せを監視することができる。ドライラインは、ブレストロールとクーチロールとの間に位置付けられる。ドライラインは、ウェットラインの後（すなわち流れ方向の下流に）生じる場合がある。
【００２０】
ウェットラインは、原料が、光をもはや反射しないように、または鏡面的な外観をもはや有さないように、十分な量の水が除去されている、抄紙機上の場所を示すように機能することができる。ウェットラインは、約５パーセントと約６パーセントとの間の粘度（すなわち重量で約５パーセントの固体および９５パーセントの水）で生じることができる。ウェットラインは、紙匹地合が生じたことを示すことができる。ウェットラインは、繊維が固定されていることを示すことができる。ウェットラインは、原料アクティビティラインの後ろに生じる場合がある。
【００２１】
原料アクティビティラインは、乱流、アクティビティ、または両方が抄紙機上のどこで終わるのかを示すように機能することができる。原料アクティビティラインは、ウェットラインおよびドライラインの上流に位置付けられ得る。原料アクティビティラインは、繊維が浮遊してくる、原料が凝固し始める、繊維がワイヤー上に載り始める、またはその組合せになるように、十分な量の水が、除去されるラインであり得る。原料アクティビティラインは、地合が、始まった場所を示すことができ、アクティビティは、縮小される、または削除される必要がある場合がある。原料アクティビティラインは、約２パーセント以上、約３パーセント以上、または、さらに約４パーセント以上の粘度でさえも示す場合がある。原料アクティビティラインは、約３パーセントから４パーセントの粘度を示す場合がある。原料アクティビティラインは、ブレストロールの後ろ、第１の区分の後ろ、第２の区分の後ろ、または第３の区分の後ろであるが、ウェットライン、ドライライン、または両方の前に生じることができる。
【００２２】
ブレストロールは、ウェットエンドの（すなわちヘッドボックスエンドの）第１のロールであり得、地合を支援することができ、原料から水を除去することができ、またはその組合せが可能である。ブレストロールは、ウェットエンドでは鉛製のロールであることができる。ブレストロールは、流れ方向のクーチロールとして、ウェットエンドの反対端部上に位置付けられ得る。クーチロールは、抄紙機のウェットエンド上の最後のロールであり得る。クーチロールは、ウェットエンドとプレス区分との間に位置付けられ得る。ウェットエンドは、原料を受け取って、原料を脱水するように機能することができる。１つまたは複数のフォーミングボード、フォーミング区分、または両方は、ブレストロールとホイル区分との間に位置付けられ得る。
【００２３】
フォーミング区分は、ブレストロールの下流に位置付けられ得る。フォーミング区分は、スライス開口から原料を受容することを支援し、原料の繊維が、所望の向き（例えば流れ方向、幅方向、無作為）に方向付けられるように、原料を構成するのを支援するように機能することができる。フォーミング区分は、１つまたは複数のホイル、１つまたは複数のフォーミングボード、または両方を含むことができる。全てのホイル区分の第１のホイルは、フォーミングボードであり得る。フォーミングボードは、静的であり得る。フォーミングボードは、流れ方向に移動可能であり得る。フォーミングボードは、フォーミングボードとヘッドボックスとの間の距離が、増大される、または減少されるように、動くことができる。フォーミングボードは、高さ調整が可能であり得る。フォーミングボードは、角度調整が可能であり得る。フォーミングボードは、原料噴射から除去された水量を増やす、または減らすために、動かされ得る。
【００２４】
ウェットエンドは、紙が、約１５パーセント以下または約１０パーセント以下の粘度を有している、抄紙機の一部分である場合がある。ウェットエンドは、プレス区分の上流に位置付けられる抄紙機の一部分である場合がある。ウェットエンドは、主として水である原料を受容して、シートが形成されるまで、水を除去することができる。ウェットエンドは、１つまたは複数の、および好ましくは複数のホイル区分（またはブレード区分）を有することができる。例えば、ウェットエンドは、第１の区分、第２の区分、第３の区分、第４の区分、またはそれ以上を有することができる。ウェットエンドは、原料から水を除去することができる。ウェットエンドは、原料の地合が制御され、紙の地合が、制御され、繊維が方向付けられるもしくは再度方向付けられ、繊維が、水の中で浮遊した状態を維持するように、アクティビティを原料に付与することができる。ウェットエンドは、１つまたは複数のアクティビティシャワーを含むことができる。
【００２５】
１つまたは複数のアクティビティシャワーは、乱流、アクティビティ、水、化学製品、またはそれらの組合せをウェットエンドに導入するように機能することができる。１つまたは複数のアクティビティシャワーは、第１の区分、第２の区分、第３の区分、第４の区分、またはその組合せの中に、またはわたって位置付けられ得る。１つまたは複数のアクティビティシャワーは、原料が、脱水されること、再度方向付けられること、溶液の中に維持されること、またはその組合せが可能であるように、水を加えること、水を噴霧すること、またはワイヤー上に置かれた原料の中に乱流を生み出すことができる。１つまたは複数のアクティビティシャワーは、ワイヤー上の繊維を散り散りにすることができる。１つまたは複数のアクティビティシャワーは、原料の中に、またはワイヤーの方へ流体を噴霧すること、流体を噴出すること、流体を落とすこと、またはそれらの組み合わせをすることができる。アクティビティシャワーは、制御システム、監視システム、または両方によって制御され得る。アクティビティシャワーは、アクティビティシャワーから出てくる流体の圧力を変更すること（例えば高くすること、または低くすること）、アクティビティシャワーから出てくる流体の量を変更すること（例えば増やすこと、または減らすこと）、流体の温度を変更すること、アクティビティシャワーから出てくる流体の原料に対する角度を変えること、またはその組合せによって制御され得る。アクティビティが、所定パラメータの範囲内ではない場合には、アクティビティシャワーは、ウェットエンドの範囲内でのアクティビティを変更するために、オンにする、オフにする、増やす、減らす、またはそれらの間のいくつかの状態であることができる。ウェットエンドは、ホイルまたはブレードの複数の区分を有することができる。
【００２６】
第１の区分は、原料が、ヘッドボックス、スライス開口、フォーミングボード、フォーミングボード区分、またはそれらの組合せを出るとき、原料を脱水し始めるように機能することができる。第１の区分は、静的ホイル、高さ可調ホイル、角度可調ホイル、またはその組合せを含むことができる。さまざまなホイルが、以下のように交互的であり得る、すなわち、静的だけ、全てが高さ可調ホイル、全てが角度可調ホイル、高さ可調ホイルおよび角度可調ホイル、高さ可調ホイルおよび静的ホイル、角度可調ホイル、高さ可調ホイル、および静的ホイル、またはその組合せであり得る。好ましくは、第１の区分は、角度可調ホイルおよび高さ可調ホイルの組合せ、全てが高さ可調ホイル、または全てが角度可調ホイルである。第１の区分は、真空によって補助される場合がある。第１の区分は、真空補助がない場合もある。第１の区分は、第２の区分のすぐ上流に位置付けられ得る。
【００２７】
第２の区分は、原料が、流れ方向に移動するとき、原料を脱水し続けるように機能することができる。第２の区分は、第１の区分を出ている原料を脱水することができる。第２の区分は、静的ホイル、高さ可調ホイル、角度可調ホイル、またはその組合せを含むことができる。さまざまなホイルが、以下のように交互的であり得る、すなわち、静的だけ、全てが高さ可調ホイル、全てが角度可調ホイル、高さ可調ホイルおよび角度可調ホイル、高さ可調ホイルおよび静的ホイル、角度可調ホイル、高さ可調ホイル、および静的ホイル、またはその組合せであり得る。好ましくは、第２の区分は、真空補助を備えた、静的ホイルおよび高さ可調ホイルの組合せである。第２の区分は、真空によって補助される場合がある。第２の区分は、真空補助がない場合もある。第２の区分は、第３の区分のすぐ上流に位置付けられ得る。
【００２８】
第３の区分は、原料が、流れ方向に移動するとき、原料を脱水し続けるように機能することができる。第３の区分は、第２の区分を出ている原料を脱水することができる。第３の区分は、静的ホイル、高さ可調ホイル、角度可調ホイル、またはその組合せを含むことができる。さまざまなホイルが、異なる種類のホイル間で以下のように交互的であり得る、すなわち、静的だけ、全てが高さ可調ホイル、全てが角度可調ホイル、高さ可調ホイルおよび角度可調ホイル、高さ可調ホイルおよび静的ホイル、角度可調ホイル、高さ可調ホイル、および静的ホイル、またはその組合せであり得る。好ましくは、第３の区分は、第３の区分が真空補助を含んでいて、両端部の静的ホイルと、その間に位置付けられた角度可調ホイルとの組合せである。第３の区分は、真空によって補助される場合がある。第３の区分は、真空補助がなくてもよい。第３の区分は、ブレードもしくはホイルを含み得る、第４の区分、真空区分、蒸煮室、高真空区分、またはそれらの組合せが、続く場合がある。
【００２９】
本明細書において論じられるブレードおよびホイルは、同義的に使用される場合がある。ホイル区分はそれぞれ、１つまたは複数のホイルおよび好ましくは複数のホイルを含むことができる。ホイルは、高さ可調的、角度可調的、固定的、またはそれらの組合せであることができる。ホイル区分は、１つまたは複数のフォーミングボードを含むことができる。フォーミングボードは、フォーミングボード区分の部分であり得る。フォーミングボード区分は、高さ可調ホイル、角度可調ホイル、固定ホイル、静的ホイル、またはその組合せを含むことができる。ホイルおよびブレードは、米国特許第８，５５１，２９３号の第３段、３０行から第１０段まで、および図１〜図９Ｂに教示されるデバイスを含む、本明細書において教示されるような何らかのデバイスによって調整されることができ、当該特許の教示内容を、角度可調的および高さ可調的なホイルまたはブレードに関して、本明細書において参考文献として明確に援用する。ホイルまたはブレードは、米国特許第９，０４５，８５９号の第１段、５０行から第１６段２４行まで、および図１〜図９Ｂに教示されるデバイスを含む、本明細書において教示されるような角度および／または高さで調整されることができ、当該特許の教示内容を、カムブロック、溝、ガイドキー、連結ロッド、推力端受け、ピボット、ホイル、空気式、油圧式、曲げ構造、またはその組合せを含む角度可調的および高さ可調的なホイルブレードに関して、本明細書において参考文献として明確に援用する。ウェットエンドは、幅方向（すなわち流れ方向に対して垂直である方向）の縁を含む。複数のホイルは、ホイルの１つまたは複数のグループ、好ましくは、流れ方向に延びるホイルの複数のグループに分けられ得る。ホイルのグループは、全てが高さ可調的、全てが角度可調的、全てが静的、またはその組合せであることができる。ホイルのグループは、高さ可調ホイルおよび角度可調ホイルの両方、静的および高さ可調的の両方、静的および角度可調的の両方、高さ可調ホイル、角度可調ホイル、および静的可調ホイル、またはその組合せを含むことができる。ブレードの種類は、交互的であり得る（例えば静的ブレードおよび高さ可調ブレード、静的ブレードおよび角度可調ブレード、高さ可調ブレードおよび角度可調ブレード、またはその組合せ）。静的ブレードは、最初と最後に位置付けられることができ、角度可調ブレードまたは高さ可調ブレードは、その間に位置付けられることができる。抄紙機は、２つ以上のグループのホイル、３つ以上のグループのホイル、４つ以上のグループのホイル、または５つ以上のグループのホイルを含むことができる。ホイルの各グループは、２つ以上のホイル、４つ以上のホイル、６つ以上のホイル、または１０以上のホイルでさえも含むことができる。ホイルの第１のセットは、フォーミングボード、次いで１組のホイルを含むことができる。ホイルの種類（例えば静的、角度可調的、高さ可調的）は、何らかの順序でグループ化され得る。例えば、ホイルのグループは、２つの角度可調ホイル、次いで、１つの静的ホイル、および３つの高さ可調ホイルを含む場合がある。各ホイルは、交互様式で異なる型であり得る。例えば、反復パターンで、静的ホイル、次に高さ可調ホイル。高さ可調ホイルは、ワイヤーからある距離だけ動く（例えばワイヤーと接触した状態から離れる）ことができる。高さ可調ホイルは、ワイヤーの方へ、またはワイヤーから離れる方向に動くことができる。高さ可調ホイルは、約±１ｍｍ以上、約±２ｍｍ以上、約±３ｍｍ以上、約±４ｍｍ以上、約±５ｍｍ以上、または約±６ｍｍ以上ホイルから離れることができる（例えばホイルがワイヤーの方へ動く場合は、プラス（または上る）であり、ホイルがワイヤーから離れる方向に動く場合は、マイナス（または下がる）である）。高さ可調ブレードが、ワイヤーと接触していて、ワイヤーが、撓んでいないときには、高さ可調ブレードは、０ｍｍのところにある。角度可調ブレードは、約±１°以上、約±２°以上、約±３°以上、または約±４°以上角度的に調節可能であり得る（例えばブレードの先端が、回転してワイヤーの中へ入るとき（すなわちワイヤーの中へ入って押し上げる）、角度は、プラスであり、ブレードの先端が、回転してワイヤーから離れるとき（すなわちワイヤーから離れる方向に下に動く）、角度はマイナスであり、先端がワイヤーと平行であるとき、角度は０°である）。高さ可調ホイルは、ワイヤーをマイナスに引っ張る真空をワイヤー上に生み出すことができる。高さ可調ホイルは、「ｖ」形状を有する場合があり、「ｖ」の谷は、原料アクティビティが、生み出されるように、ワイヤーを０°より下に引っ張ることを支援することができる。ブレードは、監視システムの１つまたは複数の監視された状態に基づいて調整され得る。好ましくは、監視システムは、ヘッドボックスとドライラインもしくはプレス区分との間の１つまたは複数の場所で原料を監視する。
【００３０】
監視システムは、抄紙機上の原料、好ましくは、抄紙機のウェットエンド内での原料の、アクティビティ、振幅、サイズ、スケール、アクティビティの所要時間、またはそれらの組合せを監視するように機能することができる。監視システムは、幅方向、流れ方向、または両方を組み合わせた方向で監視することができる。監視システムは、幅方向、流れ方向、または両方を組み合わせた方向で、アクティビティ、振幅、サイズ、スケール、アクティビティの所要時間またはその組合せを監視することができる。監視システムは、原料アクティビティ、振幅、サイズ、スケール、アクティビティの所要時間、またはその組合せを測定することができる（以下全てを原料の動きと言う）。監視システムは、リアルタイムで、原料アクティビティを監視すること、原料アクティビティを分析すること、原料アクティビティに関する情報を制御システムに伝達すること、またはそれらの組合せをすることができる。監視システムは、１つまたは複数のホイルによって除去された水の量、フォーミングボード、原料噴射とワイヤー、フォーミングボード、または両方との間の衝突角度、各原料区分、またはその組合せを監視することができる。監視システムは、ヘッドボックスの近くのカットスルーを監視することができる。監視システムは、抄紙機上のカットスルーで、カットスルーのそばに、カットスルーと垂直に、またはその組合せに位置付けられ得る。カットスルーは、スライス開口とフォーミングボードとの間、ヘッドボックスとフォーミングボードとの間、ブレストロールとフォーミングボードとの間、またはその組合せの区域であり得る。監視システムは、水が除去されている幅を監視することができる。監視システムは、原料噴射とフォーミングボードとの間の衝突角度を監視することができる。監視システムは、フォーミングボードとヘッドボックスとの間の間隙、１つまたは複数のブレードの角度、１つまたは複数のブレードの高さ、またはその組合せを調整することによって除去された水の量を監視することができる。監視システムは、ブレストロール、フォーミングボード、または両方に対するヘッドボックスの底部分の場所を監視することができる。監視システムは、１つまたは複数の照明、１つまたは複数のセンサ、１つまたは複数のレベルデバイス、またはその組合せを含むことができる。監視システムは、アクティビティライン、原料アクティビティライン、ウェットライン、ドライライン、またはその組合せを監視することができる。好ましくは、監視システムは、抄紙機のウェットエンドを監視する複数のセンサを含む。
【００３１】
１つまたは複数のセンサは、原料アクティビティ（すなわち動き）を監視するように機能する。１つまたは複数のセンサは、制御システムが原料の動きを制御するように、信号を制御システムに送信するように機能することができる。最終的な紙品質が、抄紙機のドライエンドからの試験結果を待たずに、変更され得るように、１つまたは複数のセンサは、リアルタイムで、原料の動き（すなわちアクティビティ）を制御することを監視して、支援するように機能する。１つまたは複数のセンサは、等級変更の間に調整すること、正常に走行すること、または両方を支援することができる。１つまたは複数のセンサは、原料の温度を監視することができる。１つまたは複数のセンサは、原料アクティビティライン、ウェットライン、ドライライン、またはその組合せの第１の側および第２の側を監視することができる。１つまたは複数のセンサは、温度プロファイル、湿度プロファイル、乾燥プロファイル、またはその組合せを監視することができる。１つまたは複数のセンサは、原料噴射を監視することができる。１つまたは複数のセンサは、スライス開口、ワイヤー、フォーミングボード、フォーミングボード区分、またはその組合せに対する原料噴射の噴射衝突を監視することができる。１つまたは複数のセンサは、蒸煮室に近接する場所を監視することができる。１つまたは複数のセンサは、縞、温度プロファイル、乾燥プロファイル、またはその組合せを監視することができる。センサは、原料の動きを監視し、原料の動きを以前の走行に相関させ、次いで、抄紙機を以前の走行のアクティビティ（例えば原料の動き）に合わせるように調整するために制御システムに信号を提供することができる。センサは、静止画像、動画、または両方を撮るカメラである場合がある。センサは、超音波、赤外線、ＣＭＯＳセンサ、電荷結合素子、マトリクスカメラ、エリアスキャンカメラ、ラインスキャンカメラ、マイクロ波、温度センサ、原子核、静電容量、圧力、真空、距離、つり下げ高さ、またはその組合せを使用することができる。１つまたは複数のセンサは、複数のセンサまたは多数のセンサである場合がある。センサは全て、同一種類のセンサである場合がある。異なる種類のセンサが、一緒に使用される場合がある。例えば、あるセンサは、赤外線センサである場合があり、別のセンサは、ＣＭＯＳセンサである場合がある。１つまたは複数のセンサは、色センサである場合がある。１つまたは複数のセンサは、モノクロセンサである場合がある。１つまたは複数のセンサは、カメラを使用せずにドライラインを監視することができる（すなわちドライライン監視は、照明なしで行われ得る）。１つまたは複数のセンサは、１つまたは複数のセンサ、２つ以上のセンサ、４つ以上のセンサ、６つ以上のセンサ、または１０以上のセンサでさえもある場合がある。センサのそれぞれは、複数の画素を有する画像を生成することができる。センサのそれぞれは、分類され得る画素を生成することができる。センサの画素は、１次アクティビティ、２次アクティビティ、３次アクティビティ、またはそれ以上（例えば４グループ、５グループ、６グループ以上）のアクティビティに基づいて分類され得る。アクティビティのグループは、１つまたは複数の所定アクティビティ設定に基づいて選択され得る。アクティビティのグループは、１つまたは複数の閾値アクティビティと比較され得る。１つまたは複数の閾値アクティビティは、アクティビティを１次、２次、３次等に分けることができる。１次アクティビティ、２次アクティビティ、および３次アクティビティは、１つまたは複数のセンサによって測定され得る。１つまたは複数のセンサは、エアパージを含む場合がある。１つまたは複数のセンサは、清浄用機構を含む場合がある。１つまたは複数のセンサは、自己洗浄性レンズを含む場合がある。１つまたは複数のセンサは、拭き取り可能レンズを含む場合がある。例えば、拭き取り可能レンズは、破片がレンズから除去されるように、所定の量のビルドアップの上で動く自己拭取レンズであることができる。レンズは、洗浄されたレンズが、カメラの前で動かされるように、長手方向または半径方向に動くことができる。１つまたは複数のセンサは、清浄用機構およびエアパージの両方を含む場合がある。１つまたは複数のセンサは、ベーパ、流体、蒸気、デブリ、原料、またはその組合せを除去することができる。１つまたは複数のセンサは、センサが、高角度センサ、低角度センサ、可動センサ、またはその組合せであるように、ある場所に存在し得る。
【００３２】
１つまたは複数の可動センサは、ウェットエンドの上方に位置付けられることができ、１つまたは複数の可動センサは、流れ方向、幅方向、またはその間の方向に動くことができる。可動センサは、ワイヤー上のある場所と共に移動するように機能することができる。可動センサは、原料の区域と共に移動することができる。例えば、センサは、ワイヤーの速さに合わせて、アクティビティ上の各ホイル、区分、または両方の影響を決定するために、ワイヤー上の場所に生じている変更を読み取ることができる。可動センサは、原料アクティビティライン、ウェットライン、ドライライン、またはその組合せに沿って動くことができる。可動センサは、フレーム、ワイヤー上に連結される場合があり、無人機である場合があり、何らかのデバイスとのつながりがない場合があり、天井から吊られている場合があり、ヘッドボックスの上に吊られていて、ヘッドボックスに沿って移動可能である場合があり、またはその組合せである場合がある。移動可能なセンサは、ズームイン、ズームアウト、または両方をする場合がある。可動センサが動く間も、対象である区域が照明されるように、可動センサは、照明と共に移動可能であり得る。可動センサは、斜めに移動する場合もある。例えば、可動センサが、ワイヤー全体で直線的に測定するように、可動センサは、可動センサが幅方向にスキャンするとき、流れ方向に動くことができる。可動センサは、複数のセンサである場合がある。可動センサは、カメラ、サーマルカメラ、温度センサ、またはその組合せである場合がある。ユーザが、ウェットエンドの１つまたは複数の場所を同時に監視することができるように、ウェットエンドの上で動く多数の可動センサが、ある場合がある。可動センサは、有線であっても、無線であってもよく、Ｂｌｕｅｔｏｏｔｈ（登録商標）を使用すること、Ｗｉ−Ｆｉ（登録商標）を使用すること、電波、またはその組合せを使用することもできる。可動センサは、他のセンサと通信していることができ、他のセンサから撮られた測定値に基づいて、対象である場所に動くことができる。可動センサおよび他のセンサは、制御システムと通信していることができ、制御システムは、可動センサが、センサ（例えば高角度センサ、低角度センサ、または両方）によって検出されたフィードバックに基づいて感知するところを制御することができる。
【００３３】
１つまたは複数の高角度センサは、抄紙機のウェットエンドを監視するために、ウェットエンドの上方に位置付けられて、ウェットエンドで実質的に見下ろすように機能することができる。高角度センサは、ウェットエンドの実質的な頭上に位置付けられ得る。高角度センサは、ワイヤー、ウェットエンド、または両方に対して直角であり得る。１つまたは複数の高角度センサは、原料アクティビティライン、ウェットライン、ドライライン、またはその組合せを監視することができる。複数の高角度センサは、抄紙機にわたって幅方向に位置付けられることができる。高角度センサはそれぞれ、抄紙機の幅（すなわち幅方向）の一部分を監視することができる。高角度センサは、重なった領域を監視することができる。高角度センサは、ウェットエンド、ワイヤー、ホイル区分、またはその組合せに対して約９０度以下、約７５度以下、約６０度以下、または約４５度以上に位置付けられ得る。高角度センサは、原料の動きを監視することができる。好ましくは、高角度センサは、原料のアクティビティ、サイズ、スケール、または振幅を監視する。高角度センサは、１つまたは複数の低角度センサと連動して、または別に働くことができる。
【００３４】
１つまたは複数の低角度センサは、原料の動きを測定するように機能することができる。１つまたは複数の低角度センサは、好ましくは、原料の振幅および／または原料のアクティビティを監視する。１つまたは複数の低角度センサは、ワイヤー、ホイル、ウェットエンド、またはその組合せと実質的に同一平面上であり得る。１つまたは複数の低角度センサは、幅方向と平行に、流れ方向に対して垂直に、または両方に向けられ得る。１つまたは複数の低角度センサは、デッケルボードの上方で、ワイヤー、ホイル、ウェットエンド、またはその組合せ上での原料の動きを監視するのに十分な高さに位置付けられ得る。１つまたは複数の低角度センサは、ワイヤー、ホイル、ウェットエンド、またはその組合せに対して約０度以上、約５度以上、約１５度以上、約２５度以上、または約４５度以下の角度を有することができる。１つまたは複数のセンサ（例えば高角度、可動式、低角度、またはその組合せ）は、所与の領域の中で原料のアクティビティの量を監視することができる。例えば、センサは、所定点（例えばレベルデバイスまたはアクティビティライン）より上に延びる原料に形成されたピーク（すなわち、光点として図に示される、ワイヤーから延びる噴流、またはワイヤーから跳び上がっている原料）の総数を計数することができる。センサは、各ホイルによって除去されている流体（例えば水）の量を監視することができる。例えば、あるホイルが過剰な量の流体を除去している場合には、原料のアクティビティは減らされることができ、繊維が適所で凝固する。別の例では、十分な流体がホイルまたはホイルのグループから除去されない場合には、十分な乾燥は達成され得ない。流体から実質的に同じものが、各ホイルまたはホイル区分によって除去されるように、１つまたは複数の低角度センサは、各ホイルまたはホイル区分を監視することができる。１つまたは複数の低角度センサは、原料の振幅を監視することができる。例えば、低角度センサは、原料が、ワイヤー、ホイルの上で撹拌される高さ、レベルデバイス、アクティビティライン、またはその組合せを測定する。
【００３５】
１つまたは複数のレベルデバイスは、比較するために１つまたは複数のアクティビティラインを生み出すように機能することができる。レベルデバイスは、１次アクティビティライン、２次アクティビティライン、３次アクティビティライン、またはその組合せを生み出すことができる。１つまたは複数のレベルデバイスは、原料の振幅、サイズ、スケール、所要時間、アクティビティ、またはその組合せを決定するために、アクティビティラインを生み出すように機能することができる。アクティビティラインは、監視されている区域（例えば監視領域）を示すことができる。１つまたは複数のレベルデバイスは、原料のアクティビティおよび／または振幅の種類を分類することを支援するように機能することができる。センサが、アクティビティ、振幅、サイズ、スケール、所要時間またはその組合せが、設定点、所定量、計算量、またはその組合せを越えているかどうかを決定することができるように、レベルデバイスは、抄紙機より上に、センサで見ることができる物理アクティビティラインまたはアクティビティ平面を生み出すことができる。好ましくは、１つまたは複数のレベルデバイスは、コンピュータで作ったアクティビティラインを生み出す。例えば、画像が捕捉されるとき、監視システムは、比較のためにアクティビティラインを画像に加える。アクティビティラインは、監視領域でのアクティビティを分類するために、原料が、比較され得る隠線であり得る。制御装置は、原料アクティビティを、特徴付けることができるように、アクティビティライン、レベルデバイス、または両方を測定信号に加えることができる。アクティビティラインおよびレベルデバイスは、原料の動きを監視することにおいて、１つまたは複数の照明によって補助され得る。
【００３６】
１つまたは複数の照明は、原料の動きが、測定され得るように、原料の動きを照明するように機能することができる。１つまたは複数の照明は、監視システムの一部分であり得る。１つまたは複数の照明は、原料のアクティビティが見えるように、原料を凝固させることができる。例えば、照明は、ストロボである場合がある。照明は、照明をオン／オフすること、照明のストロボをたくこと、または両方の頻度を制御することができる監視システムに接続され得る。１つまたは複数の照明は、センサのそれぞれに接続され得る。好ましくは、監視システムは、複数のセンサを含む。いくつかのセンサは、照明がない場合もある。１つまたは複数の照明は、照明の列である場合がある。１つまたは複数の照明は、各センサと一緒に位置付けられ得、照明およびセンサは、一緒に協働することができる。照明は、センサのいずれかと共に働くことができる。１つまたは複数の照明は、照明の列である場合がある。１つまたは複数の照明または複数の照明は、抄紙機のウェットエンドに沿って整列させることができる。１つまたは複数の照明は、監視システムが、信号を発生して、制御システムに送信することができるように、監視システムを支援することができる。
【００３７】
制御システムは、１つまたは複数の抄紙機設定を変更する、または調整するように機能することができる。制御システムは、本明細書に教示される監視システムに接続され得る。制御システムは、ワイヤーの速さ、ホイルの角度、ホイルの高さ、原料がヘッドボックスから出る速さ、原料の噴射角度、１つまたは複数の区分に適用されている吸込の量、真空レベル、スライス開口、原料噴射速さ、ワイヤー速さ、噴射対ワイヤー比率、原料の温度、ヘッドボックス粘度、またはその組合せを変えることができる。１つの制御システムは、自動制御システム、手動制御システム、または両方であり得る。１つまたは複数の制御システムは、アクティビティライン、原料のアクティビティライン、または両方を調整することができる。１つまたは複数の制御システムは、可動センサを動かすことができる。１つまたは複数の制御システムは、２つ以上のセンサ、センサと照明、レベルデバイスとセンサ、アクティビティラインとセンサもしくは制御装置、またはその組合せの間で通信することができる。制御システムは、センサによって撮られた複数の画像を分析し、ウェットエンド変更が、１つまたは複数のドライエンド試験を遂行するために加えられ得るように、センサを１つまたは複数のドライエンド試験に相関させる、１つまたは複数のプロセッサ、１つまたは複数のマイクロプロセッサ、または両方を含むことができる。制御システムは、リアルタイムで監視することができる。制御システムは、閉ループ制御システムである場合がある。制御システムは、完成紙料、周囲温度、濾水度、またはその組合せを変更するために抄紙機を調整することができる。制御システムは、監視システムからの測定値、オペレータ、上流の監視装置からの入力測定値、またはそれらの組合せに基づいて、抄紙機の構成要素の位置を算出することができる。制御システムは、周囲照明状態に関して調整され得る。例えば、夜の場合には、制御システムは、屋外の日中の場合とは異なってアクティビティを測定することができる。時刻および周囲光が測定値に影響を及ぼさないように、照明は、監視領域をあふれるほど照らすことができる。制御システムは、分散制御システム（ＤＣＳ）の一部分である場合がある。制御システムは、監視システムの一部分である場合がある。制御システムは、１つまたは複数の制御装置と通信する場合がある。
【００３８】
１つまたは複数の制御装置は、ヘッドボックス、ホイル、ホイルのグループ、ワイヤー、吸込ボックス、クーチロール、ブレストロール、希釈制御装置、角度可調ホイル、高さ可調ホイル、蒸煮室、温度制御装置、またはその組合せなどの、１つまたは複数の構成要素と通信することができる。１つまたは複数の制御装置は、手動制御、自動制御、または両方であり得る。各構成要素（例えばセンサ、ホイル、ホイルモータ、ヘッドボックスモータ、スライス開口、蒸煮室、アクティビティシャワー）は、各構成要素が、他の構成要素に関係なく、独立して、または個別に制御され得るように、制御装置を含むことができる。制御装置は、遠隔制御される場合がある（例えばＤＣＳ、リモコン、またはタブレットによって）。制御装置は、有線で制御される場合がある。制御装置は、無線で制御される場合がある。制御装置は、現地で制御される場合がある（例えば抄紙機のそばに立ったユーザが、手動で制御装置を作動させる、またはボタンを押す）。制御装置は、原料のアクティビティ、振幅、サイズ、スケール、アクティビティの所要時間、またはその組合せに基づいて制御され得る。制御装置は、比例制御器、積分制御器、微分制御器、比例積分微分制御器、またはその組合せであり得る。
【００３９】
原料のアクティビティは、所与の領域（例えば監視領域）の噴流の数であり得る。アクティビティは、アクティビティラインの上方に延びる噴流の測定量（例えば振幅）であり得る。アクティビティは、計数され得る。アクティビティは、噴流の平均振幅、監視された領域内の噴流の量、噴流のスケール、噴流の所要時間、またはその組合せに基づくことができる。アクティビティラインは、ドライエンド測定値との相関に基づいて決定され得る所定ラインであり得る。アクティビティラインは、１次アクティビティラインおよび２次アクティビティラインであり得る。１次アクティビティラインの上方に延びるアクティビティは、１次アクティビティであり得、２次アクティビティラインの上方に延びるアクティビティは、２次アクティビティであり得る。したがって、アクティビティは、アクティビティラインに対するアクティビティに基づいて分類され得る。アクティビティは、実質的に平坦ではない、または波状曲線によって作成された原料の中の任意の領域であり得る。アクティビティは、包囲原料の上方に噴出する個別の原料の割込みであり得る。アクティビティ測定値は、所与の監視領域の中の噴流の数であり得る。アクティビティ測定値は、アクティビティラインの上方で、監視領域内の噴流の数の測定値であり得る。
【００４０】
原料の振幅は、アクティビティラインより上に、所定点より上に、または両方より上にある高さを備えた原料の噴流であり得る。振幅は、包囲原料の上方に延びる何らかの噴流であり得る。噴流は、上向きに延びていて、ピークまで細くなっている複数のピークによってグラフィカルに表され得る。原料振幅は、ワイヤーの高さ、包囲原料、１つまたは複数のアクティビティライン、またはその組合せに関して分類され得る。振幅は、噴流の高さであり得る。振幅は、ホイルによって原料に入力されるアクティビティの量、原料噴射、または両方を表すことができる。振幅は、１次アクティビティ、２次アクティビティ、３次アクティビティ、またはその組合せに分割され得る。原料アクティビティは、振幅、サイズ、所要時間、またはその組合せに関して監視され得る。
【００４１】
噴流のサイズは、所定場所での噴流の断面厚さであることができる。噴流のサイズは、アクティビティラインで、アクティビティラインの前で、アクティビティラインとヘッドボックスとの間で、またはその組合せで測定され得る。噴流のサイズは、噴流の高さにわたって変化し得る。噴流のサイズは、噴流が流れ方向で測定されるとき、変化し得る。噴流は、噴流が流れ方向で測定されるとき、サイズが減少し得る。例えば、第１の区分の噴流は、第２の区分の噴流より大きい場合がある。アクティビティライン（例えば１次アクティビティライン、２次アクティビティライン、３次アクティビティライン）は、流れ方向に沿って変化し得る。例えば、脱水が原因で、粘度が増すとき、アクティビティラインが、粘度の増加（例えば重量でより多くの繊維）に適応するために各区分で較正され得るように、サイズ、振幅、総アクティビティ、またはその組合せは、減少し得る。噴流のサイズおよび噴流の振幅は、正比例する場合がある。噴流のサイズおよび噴流の振幅は、反比例する場合もある。
【００４２】
アクティビティの所要時間は、ホイルの後で噴流が形成されている距離、またはホイルが調整された後、噴流が生み出されている所要時間であり得る。アクティビティの所要時間は、流れ方向に測定され得る。アクティビティラインを越えて所要時間を持続するアクティビティの量を決定するために、ラインの前のアクティビティおよびラインの後のアクティビティが、測定され得るように、アクティビティラインは、アクティビティラインの上流をアクティビティラインの下流と区別するラインであり得る。アクティビティの所要時間は、ホイル変更の後の秒数で測定され得る。所要時間、振幅、原料アクティビティ、サイズ、スケール、またはその組合せは、監視領域の中で測定され得る。
【００４３】
スケールは、噴流間の距離、噴流の断面厚さ（例えば直径）、または両方であり得る。スケールは、抄紙機を横断する断面で測定され得る。スケールは、アクティビティの密度と相関し得る。スケールまたは密度は、正比例している場合がある。スケールは、所与の区域の範囲内での噴流の数（例えば密度）であり得る。領域の中のアクティビティが、測定され得るように、アクティビティラインは、原料の領域の周囲に周辺部を生み出すことができる。スケールは、アクティビティの分類化に応じて、１次アクティビティ、２次アクティビティ、３次アクティビティ、またはその組合せで測定され得る。
【００４４】
１次アクティビティは、アクティビティの閾値を超えるアクティビティの量を示すように機能することができる。１次アクティビティは、閾値アクティビティを上回る（例えば１次アクティビティラインを超える）何らかのアクティビティであり得る。閾値アクティビティは、振幅、サイズ、スケール、所要時間、量、高さ、またはその組合せであり得る。１次アクティビティは、原料が、所望のドライエンド試験特性を達成していることを示すことができる。各区分での１次アクティビティは、約２０パーセント以上、約３０パーセント以上、約４０パーセント以上、約５０パーセント以上であり得る。各区分での１次アクティビティは、約９０パーセント以下、約８０パーセント以下、または約７０パーセント以下であり得る。１次アクティビティは、１次アクティビティラインおよび２次アクティビティラインを確立することによって、測定され得る。１次アクティビティラインの上のどのようなアクティビティも、１次アクティビティと考えられ得、１次アクティビティラインと２次アクティビティラインとの間のどのようなアクティビティも、２次アクティビティであり得、２次アクティビティラインより下のどのようなアクティビティも、３次アクティビティラインであり得る。事実上アクティビティラインは、アクティビティの所望のレベルによって、確立され得る。アクティビティラインは、原料の振幅に基づくことができる。例えば、ワイヤーの上の原料の液滴の高さは、測定されることができ、１次アクティビティラインの上のピークの数は、１次アクティビティを確立することができる。１次アクティビティラインと２次アクティビティラインとの間に位置するピークの数は、２次アクティビティを確立することができ、残りのピークは、３次アクティビティを確立することができる。それぞれのパーセンテージが、算出され得るように、総アクティビティは、１次アクティビティ、２次アクティビティ、および３次アクティビティを一緒に加えることによって、算出され得る。１次アクティビティは、第１の区分から第２の区分へと、第２の区分から第３の区分へと、または第３の区分から第４の区分へと減少し得る。紙シートがより乾燥したとき、アクティビティラインは、より少ないアクティビティに対処するように調整され得る。ワイヤーが、ヘッドボックスからプレス区分に向かって移動するとき、１次アクティビティの量は、最低であり得る。原料アクティビティラインでの１次アクティビティは、約１０パーセント以下、約５パーセント以下、または約０パーセントに落ち得る。１次アクティビティは、ホイル区分からホイル区分へと減少し得る。第１の区分（すなわちヘッドボックスに最も近い区分）での１次アクティビティは、約６０パーセントと３０パーセントとの間、約５５パーセントと約３５パーセントとの間、好ましくは総アクティビティの約５０パーセントと約４０パーセントとの間（すなわち総アクティビティの約４２パーセント）であり得る。１次アクティビティは、区分から区分へと下がり得る。１次アクティビティは、区分から区分へと約５パーセント以上、約１０パーセント以上、または約１５パーセント以上だけ減少し得る。１次アクティビティは、約３０パーセント以下、約２５パーセント以下、または約２０パーセント以下だけ減少し得る。１次アクティビティは、第１のホイル区分から第２のホイル区分へと最も大きく減少し得る。例えば、第１のホイル区分から第２のホイル区分へと、１次アクティビティは、総アクティビティの約２０パーセントだけ減少し得、第２のホイル区分から第２のホイル区分へと、１次アクティビティは、総アクティビティの約１５パーセントだけ減少し得る。１次アクティビティの量は、等級から等級へと変化され得る。１次アクティビティは、１次アクティビティラインを変更することによって、変化され得る。１次アクティビティラインは、ピーク高さのパーセンテージによって決定され得る。例えば、ピーク高さが、３ｍｍである場合には、１次アクティビティラインは、ピーク高さの７５パーセント（すなわち２．２５ｍｍ）に設定され得る。ピーク高さは、アクティビティのピーク高さ（例えば振幅）の約５０パーセント以上、約６０パーセント以上、約７０パーセント以上、約７５パーセント以上、または約８０パーセント以上であり得る。測定値が流れ方向で取られるとき、１次アクティビティは、２次アクティビティに変化し得る。例えば、第１の区分では、１次アクティビティは、約４１パーセントであり得、２次アクティビティは、約３パーセントであり得、次いで、第２の区分では、１次アクティビティは、約２２パーセントであり得、２次アクティビティは、約４パーセントであり得る。
【００４５】
２次アクティビティは、３次アクティビティより大きいが、１次アクティビティほど大きくないアクティビティであり得る。２次アクティビティは、ホイル区分でのアクティビティを示すことができるがアクティビティは、閾値または測定値を下回る場合がある。２次アクティビティは、アクティビティは、ホイル区分に付与されていること、しかしながら、アクティビティの量は、１次アクティビティを発生させるのに十分ではないこと、または１次アクティビティが限定されるように、粘度が、あるレベルに達していることを示すことができる。２次アクティビティは、１つまたは複数の設定を調整することによって、１次アクティビティに変更され得る。２次アクティビティは、１つまたは複数の高さ可調ホイルの高さを変更することと、１つまたは複数の角度可調ホイルの角度を変更することと、複数の高さ可調ホイルの高さを変更することと、複数の角度可調ホイルの角度を変更することと、蒸煮室を変更することと、真空を調整することと、地合シャワーを調整することと、またはその組合せによって１次アクティビティに変更され得る。２次アクティビティは、ホイル区分に適用された真空の量を増減することによって、増減され得る。２次アクティビティは、スライス開口、原料噴射、ワイヤーの速さ、またはその組合せを調整することによって変化され得る。２次アクティビティは、原料の振幅の測定値であり得る。例えば、１０００ピークが、監視領域で測定される場合には、１次アクティビティラインおよび２次アクティビティラインの間に位置する数が、計数される。２次アクティビティは、領域の中のアクティビティの集中であり得る。ピークの密度は、アクティビティと考えられ得る。例えば、１ｍ×１ｍの区域に、２０以上のピークがある場合には、ピークのその密度は、２次アクティビティと考えられ得る。２次アクティビティは、ホイル区分からホイル区分へと一貫した状態を保つことができる。例えば、一貫した増加として、２次アクティビティは、減少する場合があり、２次アクティビティは、一貫した状態を維持する場合もある。原料アクティビティラインでの２次アクティビティは、約５パーセント以下、約２パーセント以下、または約０パーセントまで落ちることができる。２次アクティビティは、ホイル区分からホイル区分へと減少することができる。第１の区分（すなわちヘッドボックスに最も近い区分）の２次アクティビティは、約４０パーセントと１パーセントとの間、約３０パーセントと約２パーセントとの間のアクティビティ、好ましくは総アクティビティの約１５パーセントと約２．５パーセントとの間（すなわち総アクティビティの約３パーセント）であり得る。２次アクティビティは、区分から区分へと下がる場合がある。２次アクティビティは、区分から区分へと一貫した状態を維持する場合もある。２次アクティビティは、区分から区分へと、約５パーセント以下、約２パーセント以下、または約０．５パーセント以下だけ減少することができる。２次アクティビティは、区分から区分へと、約３０パーセント以下、約２５パーセント以下、または約２０パーセント以下だけ減少することができる。２次アクティビティの量は、等級から等級へと変化され得る。���次アクティビティは、１次アクティビティライン、２次アクティビティライン、または両方を変更することによって、変化され得る。２次アクティビティラインは、ピーク高さのパーセンテージによって決定され得る。例えば、ピーク高さが、３ｍｍである場合には、２次アクティビティラインは、ピーク高さの６０パーセント（すなわち１．８ｍｍ）に設定され得る。ピーク高さは、アクティビティのピーク高さ（例えば振幅）の約３０パーセント以上、約４０パーセント以上、約５０パーセント以上、約５５パーセント以上、または約６０パーセント以上であり得る。測定値が、流れ方向で取られるとき、２次アクティビティは、３次アクティビティに変化し得る。例えば、第１の区分では、２次アクティビティは、約４パーセントであり得、３次アクティビティは、約５０パーセントであり得、次いで、第２の区分では、２次アクティビティは、約３パーセントであり得、３次アクティビティは、約７０パーセントであり得る。
【００４６】
３次アクティビティは、閾値測定値未満に位置する何らかのアクティビティであり得る。３次アクティビティは、層流、低乱流流動、ピーク（すなわち振幅）を含まない原料、またはその組合せであり得る。３次アクティビティは、閾値未満に位置する（例えば２次アクティビティ用の判定）何らかのアクティビティであり得る。原料がアクティビティラインに向かって移動するとき、３次アクティビティは増大し得る。アクティビティラインでは、原料の全ては、３次アクティビティであり得る。粘度が、３パーセント以上、４パーセント以上、または５パーセント以上にさえ達すれば、アクティビティの全ては、３次アクティビティになり得る。
【００４７】
監視領域は、所定領域、標準領域、または両方であり得る。監視領域は、幅方向の区分であり得る。監視領域は、区域が構成されるように、幅方向の寸法および流れ方向の寸法を有することができる。複数の監視領域が、幅方向に存在し得る。複数の監視領域は、並んで位置付けられる場合があり、幅方向にわたって及ぶ場合もある。監視領域は、所定アクティビティラインより上方の噴流が、各監視領域で測定され得るように、アクティビティラインと揃えられ得る。監視領域は、ヘッドボックスとアクティビティラインとの間にわたることができる。監視領域は、ホイル区分の長さと等しい長さを有することができる。監視領域は、抄紙機の横断面の１／８以上、１／４以上、１／２以上と等しい幅を有することができる。監視領域は、抄紙機の幅以下または抄紙機の断面積の約３／４以下の幅を有することができる。監視領域は、何らかの標準区域を包含することができる。約０．２５ｍ２以上、約０．５ｍ２以上、約１ｍ２以上、約２ｍ２以上、約１０ｍ２以下、または約５ｍ２以下の区域が、監視され得る。監視領域は、抄紙機の中央、抄紙機の縁上にあることができ、片方の縁から第２の対向縁まで、またはその組合せにあることができる。監視領域は、監視領域（および区域）より上の高さを監視することができる。監視される高さは、アクティビティラインより約１ｃｍ以上、約２ｃｍ以上、約５ｃｍ以上、約１０ｃｍ以上、約１００ｃｍ以下、約７５ｃｍ以下、または約５０ｃｍ以下上であり得る。監視される高さは、アクティビティラインの上下に延びることができる。アクティビティラインより上の監視される高さは、アクティビティラインより下の監視される高さと等しくなり得る。
【００４８】
アクティビティラインは、アクティビティ、噴流高さ（すなわち振幅）、または両方が、比較される標準ラインであり得る。アクティビティラインは、所定距離だけワイヤー、ホイル、または両方より上に位置付けられ得る。アクティビティラインは、アクティビティがない場合には原料の高さであり得る。アクティビティラインは、全ての等級で同じ高さである場合がある。アクティビティラインは、等級ごとに変更される場合もある。アクティビティラインは、ワイヤー、ホイル、または両方より約１ｃｍ以上、約２ｃｍ以上、約５ｃｍ以上、約１０ｃｍ以上、約５０ｃｍ以下、約２５ｃｍ以下上にあり得る。アクティビティラインは、複数のアクティビティラインであり得る。各ラインは、アクティビティを異なる分類に分けることができる。アクティビティラインは、１次アクティビティライン、２次アクティビティライン、３次アクティビティライン、またはその組合せであり得る。アクティビティラインは、アクティビティラインより上に、２つのアクティビティラインの間に、アクティビティラインより下に、またはその組合せに延びるアクティビティの量を測定することができる。アクティビティラインは、紙匹地合特性、ドライエンド試験要件、ワイヤー速さに応じて動かすことができる任意のラインであり得る。
【００４９】
監視システムは、ある方法を用いて監視および／または制御することができる。方法は、何らかの順序で実行される１つまたは複数のステップを含むことができる。方法は、原料の動きまたは原料アクティビティを監視することができる。原料アクティビティは、基準原料アクティビティまたはアクティビティラインと比較され得る。原料アクティビティは、紙等級の従来の走行から守られた原料アクティビティと比較され得る。原料アクティビティは、ワイヤーが、同様の摩耗状態であるときに守られた原料アクティビティと比較され得る。例えば、ワイヤーが、３０日古い場合には、原料アクティビティは、ワイヤーが３０日古いときの抄紙機上の基準アクティビティと比較される。監視されたアクティビティと基準アクティビティとの間の変化が、比較される。変化は、予測された式、予測された変化、または両方と比較される。方法は、原料アクティビティを分類するステップを含むことができる。原料アクティビティは、１次アクティビティ、２次アクティビティ、３次アクティビティまたはその組合せに分類され得る。変化は、変化を減らすために、抄紙機上での構成要素の位置を予測するのに使用される。変化は、１つまたは複数の原料の動きと比較され、変化の後の原料の動きが、予測される。変化がゼロまで減らされる場合、監視システムは、紙の最終的な特性、紙の地合、または両方に対する影響を予測することができる。監視システムは、抄紙機上での構成要素（例えばホイル、ヘッドボックス、吸込、速さ、または本明細書において論じられた何らかの他のもの）の位置、または抄紙機上での構成要素の動きに基づいて紙特性を予測することができる。方法は、紙特性を予測するステップを含むことができる。方法は、予測された紙特性を目標紙匹地合と比較して地合エラーを算出するステップを含むことができる。方法は、予測された紙特性をドライエンドで測定された紙特性と比較するステップを含むことができる。監視システムは、アクティビティ、１次アクティビティ対２次アクティビティおよび／または３次アクティビティの比率、または両方に基づいて紙特性を予測することができる。監視システムは、ユーザが調整をすることができるように、調整が必要とされるところを示すことができる。ユーザは、抄紙機から遠位の場所から、抄紙機に近位の場所から、または両方から調整をすることができる。監視システム、制御システム、または両方は、原子的に調整をすることができる。方法は、ユーザが、遠く離れた場所、近接した場所、または両方から所望の調整を１つまたは複数の抄紙機構成要素（例えばホイル、ヘッドボックスなど）に入力するステップを含む。アクティビティが変わり、影響が、監視されるとき、監視システムは、ヘッドボックスで再調査を開始して、ドライエンドに向かって動くことができる。新しい目標地合または特性は、算出された変化に基づいて算出される。新しい予測された地合は、抄紙機構成要素の変化に基づいて算出される。目標地合が達成されなかった場合には、目標地合が達成されるまで、ステップは１回または複数回繰り返され得る。予測された原料の動きと実際の原料の動きとの間の違い、抄紙機特性、または両方が、算出される。予測されたものと実際のものとの間の違いを使用して、地合エラーを相関させることができる。予測されたものと実際のものとの間の違いを使用して、抄紙機の１つまたは複数の構成要素を動かすことができる。予測されたものと実際のものとの間の違いを使用して、ホイルの動く距離、ホイルの位置、ワイヤーの速さ、原料の速さ、スライス開口寸法、真空の量、またはその組合せを算出することができる。プロセスは、抄紙機の区分ごとに繰り返され得る。プロセスは、ヘッドボックス、スライス開口、第１のホイル区分、またはその組合せで始まることができる。プロセスは、本明細書において教示された監視システムを用いて抄紙機を監視して、本明細書において教示された制御システムを用いて抄紙機を制御することができる。制御システム、制御装置、監視システム、またはその組合せは、メモリを含むことができる。制御システム、制御装置、監視システム、またはその組合せは、抄紙機の各構成要素の位置を記録することができる（例えばホイル位置、機械の速さ、スライス開口、原料噴射速度）。方法は、等級変更の間に、または等級変更の開始時に、１つまたは複数の構成要素を、等級変更を予想して予め記録された位置に変更するステップを含む。
【実施例】
【００５０】
図１Ａは、監視システム２０および制御システム４０を含む抄紙機２の斜視図を図示する。抄紙機２は、ワイヤー６が連続的に動いているときに、ワイヤー６上に原料（図示せず）を載せるヘッドボックス４を含む。ワイヤー６は、原料を受容するためにヘッドボックス４の下に移動し、次いで、原料から水を除去し、このことが、原料にドライライン１２を生み出す、複数のホイル区分８の上に移動する。ワイヤー６は、クーチロール１０で終わり、そこで、ワイヤー６は、向きを変えて逆方向に延びる。監視システム２０は、ヘッドボックス４とクーチロール１０との間の１つまたは複数の場所を監視する。図示している監視システム２０は、ワイヤー６に沿った、またはワイヤー６を横切る原料（図示せず）のプロセス状態を監視するために、複数の照明２２、複数のセンサ２４、および１つまたは複数のレベルデバイス３０を含む。監視システム２０は、高角度センサ２６および低角度センサ２８を含む。低角度センサ２６は、ワイヤー６と実質的に同じ高さに位置付けられ、ワイヤー６と実質的に平行に延びるアクティビティライン７４を投影するレベルデバイス３０を含む。アクティビティライン７４は、ワイヤー６上で原料の振幅の量を測定している監視装置を支援する。好ましくは、アクティビティライン７４は、ホイル区分８での原料の振幅を測定することを支援する。図に示すように、低角度センサ２８は、ワイヤー６または原料（図示せず）に対してある角度（β）で、またはある距離を置いて延在する。図示しているアクティビティライン７４は、ワイヤー６または原料（図示せず）より上方に、ある角度（Φ−）で、またはある距離を置いて延在するが、アクティビティライン７４は、幅方向にはワイヤーまたは原料と平行に延在することができる。図示しているアクティビティライン７４は、低角度センサ２８のサイトラインより下方に、ある角度（Φ＋）で、またはある距離を置いて延在する。高角度センサ２６は、ワイヤーまたは原料に対してある角度（α）で延在するサイトラインを有する。制御装置４２を含む制御システム４０は、監視システム２０および抄紙機２に接続され、好ましくは、ホイル区分８の中で個別のホイル（図示せず）の動きを制御するためにホイル区分８に接続される。
【００５１】
図１Ｂは、原料（図示せず）が流れ方向１４に移動するとき、幅方向でワイヤー６と平行に視察するように配置される低角度センサ２８の平面図である。低角度センサ２８は、アクティビティライン７４を生成するレベルデバイス３０を含む。低角度センサ２８は、アクティビティライン７４に対してホイル区分８によって生み出されたアクティビティを測定する。図示しているように低角度センサ２８であるセンサ２４は、制御システム（図示せず）と通信している。
【００５２】
図１Ｃは、原料６０の側部形状が、示されるように、ライン１Ｃ−１Ｃに沿った図１Ｂの側面図である。原料６０がワイヤー６上で流れ方向１４に移動するとき、幅方向で見える形状が、図示されている。センサ（図示せず）は、ホイル９によって生み出された、アクティビティライン７４より上方の振幅６８を測定する。
【００５３】
図１Ｄは、監視システム２０を備えた抄紙機２の側面図である。抄紙機２は、スライス開口３を備えたヘッドボックス４を含む。原料（図示せず）は、スライス開口３から、フォーミング区分１３０のフォーミングボード７の上方に位置付けられたワイヤー６の方へと、ヘッドボックス４を出る。原料は、ワイヤー６と一緒に、フォーミング区分１３０から、第１の区分１３２、第２の区分１３４、および第３の区分１３６へと移動する。監視システム２０は、原料が抄紙機２に沿って移動するとき、原料アクティビティ（図示せず）を監視する複数のセンサ２４を有する。監視システム２０は、１つのセンサ２４が、フォーミング区分１３０を監視し、２つのセンサ２４が、第１の区分１３２を監視し、３つのセンサ２４が、第２の区分１３４を監視し、かつ２つのセンサ２４が、第３の区分１３６を監視している複数のセンサ２４を含む。監視システム２０は、幅方向、流れ方向、または両方向に移動可能である可動センサ２５を含む。監視システム２０は、ドライライン（図示せず）を監視するセンサ２４をさらに含む。監視システム２０は、監視システム２０を使用する間、抄紙機の区分を照らす照明２２をさらに含む。監視システム２０は、フォーミング区分１３０、第１の区分１３２、第２の区分１３４、および／または第３の区分１３６の中の１つまたは複数の要素がそれぞれの区分での原料アクティビティを変更するように調整する１つまたは複数の制御装置４２を含む制御システム４０に接続される。
【００５４】
図２Ａは、低角度センサ（図示せず）から原料６０のアクティビティ６６（白い点状として見える）を見た斜視図である。図示している原料アクティビティ６６は、振幅６８を有する。
【００５５】
図２Ｂは、ホイル（図示せず）が、図２Ａのものから調整された後の原料６０のアクティビティ６６（白い点状および上に延びる原料／流体として見える）を図示する。アクティビティ６６の量は、（３倍以上、または好ましくは４倍以上に）増大されており、振幅６８は、（２倍以上、３倍以上、または４倍以上にさえ）増大されている。
【００５６】
図３Ａは、原料６０の振幅６８およびアクティビティ６６が見えるように、原料６０の側面図を図示する。
【００５７】
図３Ｂは、振幅６８が増大し、アクティビティ６６が増大されるように、ホイル変更後の、原料６０の側面図を図示する。
【００５８】
図４では、図３Ｂを分析しており、分析目的ためにコンピュータで作られた、レベルデバイス（図示せず）によって発生されたアクティビティライン７４より上で、流れ方向１４における原料６０のアクティビティ６６および振幅６８が、分析のために強調されている。
【００５９】
図５では、水６４がホイル９によって原料６０から除去されるときの、原料６０の分析を画像で実証している。原料６０および繊維６２は、ワイヤー６に沿って動き、ホイル９は、原料アクティビティ６６（例えばパルス密度および所要時間）および振幅６８（例えば高さ）を生み出す。監視システム（ここでは示されている）は、アクティビティライン７４より上で原料アクティビティ６６および振幅６８を測定する。
【００６０】
図６は、原料６０と、原料６０に対して角度（α）で監視する、照明２２を備えた高角度センサ２６とを図示する。
【００６１】
図７Ａは、高角度センサ（図示せず）から原料６０を見た平面図を図示する。原料６０のアクティビティ６６（例えば白点）が、見える。
【００６２】
図７Ｂは、ホイル変更後に高角度センサ（図示せず）から原料６０を見た平面図を図示する。原料アクティビティ６６は、ホイル変更後に、実質的に（例えば２倍以上、３倍以上、４倍以上、または５倍以上にさえ）増大されている。
【００６３】
図８Ａは、ホイル変更前に、高角度センサ（図示せず）から原料６０を見た、原料アクティビティ６６が見える平面図を図示する。
【００６４】
図８Ｂは、ホイルが調整されるときの、原料６０におけるアクティビティ６６の変更を示す。監視領域７０が、アクティビティ６６のその量を各ホイル（図示せず）に対して相関させるために、画像に加えられる。
【００６５】
図９は、アクティビティライン（図示せず）より上で、または各監視領域７０の中の基線測定に対する原料６０のアクティビティ６６の量を示しているアクティビティ測定７２を示す。
【００６６】
図１０Ａは、現在のカメラアクティビティ１０２が監視されるプロセス図１００である。監視された現在のカメラアクティビティ１０２は、基準アクティビティ１０４と比較され、アクティビティ変更１０６が、算出される。アクティビティ変更１０６は、アクティビティの地合に対する影響を決定するために、地合に関連して監視され、次いで、地合レベルが、予測される１１０。予測された地合１１０（すなわち現在の地合レベル）は、所望の地合の変更、または地合エラー１１４を決定するために、目標紙匹地合と比較される１１２。地合エラー１１４は、ブレード位置１１６と比較され、次いで、ブレード位置は、原料のアクティビティおよび地合を調整するように変更される１１８。
【００６７】
図１０Ｂは、現在のカメラアクティビティ１０２が監視されるプロセス図１００である。監視された現在のカメラアクティビティ１０２は、基準アクティビティ１０４と比較され、アクティビティ変更１０６が、算出される。アクティビティ変更１０６は、アクティビティの地合に対する影響を決定するために、地合に関連して監視され、次いで、地合レベルが、予測される１１０。予測された地合１１０（すなわち現在の地合レベル）は、所望の地合の変更または地合エラー１１４を決定するために、目標紙匹地合と比較される１１２。地合エラー１１４は、現在の抄紙機設定および抄紙機パラメータの調整１２０と比較される（例えば粘度、ブレード角、スライス開口、ブレード角、ブレード高さ、フォーミングボード位置）。抄紙機パラメータは、地合エラー１１４による変更１２２である。抄紙機アクティビティは、変更の後現在のアクティビティに関して再調査される１２４。変更の後の現在のアクティビティは、基準アクティビティ１２６の所定パラメータと比較される。パラメータがステップ１２６で満たされない場合には、ステップ１０２に戻って、繰り返す。パラメータがステップ１２８で満たされる場合には、次の区分１２８へ進んで、次いで、次の下流の区分に関してステップ１０２から始まる。
【００６８】
図１１は、スライス開口３から原料を動かして、原料噴射１６を形成しているヘッドボックス４を含む抄紙機２のウェットエンド１８を図示する。原料噴射１６は、いくらかの水１１が、フォーミングボード７に近接するワイヤー６を通過することによって除去されるように、ある角度でブレストロール５の方とワイヤー６の方とに延びる。次いで、ワイヤー６は、示すように、両方とも水１１を除去する、角度可調ホイル９Ａと、そして高さ可調ホイル９Ｂとであるブレードを横切って原料を移動させる。角度可調ホイル９Ａおよび高さ可調ホイル９Ｂはそれぞれ、それぞれの位置に基づいて、ワイヤー６上での原料のアクティビティに影響を及ぼす。
【００６９】
図１２は、ウェットエンド１８部分の相互関係を図示する。ヘッドボックス４は、高さを設定する間隙（Ａ）と、ヘッドボックス４の底部分がフォーミングボード７の方へ延びる距離（Ｂ）とを備えたスライス開口３を有する。ヘッドボックスの底部分３は、長さ（Ｄ）を有するフォーミングボード７から距離（Ｃ）だけ離れて位置付けられる。フォーミングボードの端部は、長さ（Ｅ）を有するホイル９から距離（Ｈ）だけ離れて位置付けられる。スライス開口３から出る原料噴射１６の角度は、ヘッドボックスの底から、原料がワイヤー６と当たる点までの距離である長さ（Ｆ）を決定する。距離（Ｇ）は、フォーミングボード７から原料がワイヤー６と当たる点までの距離である。
【００７０】
図１３は、ウェットエンド１８の範囲内でのドライライン１２、ウェットライン７６、およびアクティビティライン７４を図示する。
【００７１】
図１４Ａは、原料アクティビティ６６の大部分が、３次アクティビティ６７Ｃである、ホイル構成設定の例である。原料６０が、流れ方向１４でワイヤー６と共に動くとき、アクティビティは、示すように、原料６０に付与されない。角度可調ホイル９Ａは、ワイヤー６と接触していて、水１１を除去しており、高さ可調ホイル９Ｂは、ワイヤー６に接触していない。
【００７２】
図１４Ｂは、原料アクティビティ６６が、１次アクティビティ６７Ａおよび２次アクティビティ６７Ｂの組合せを有する、ホイル構成設定の例である。原料６０が、流れ方向１４でワイヤー６と共に動くとき、アクティビティは、角度可調ホイル９Ａおよび高さ可調ホイル９Ｂの両方によって原料６０に付与される。角度可調ホイル９Ａおよび高さ可調ホイル９Ｂの両方が、ワイヤー６と接触していて、水１１を除去している。図示のように、原料アクティビティ６６および振幅６８の両方を増大させるために、乱流が、発生するように、原料アクティビティ６６は、高さ可調ホイル９Ｂの先頭側で増大される。
【００７３】
図１４Ｃは、原料アクティビティ６６が、１次アクティビティ６７Ａおよび２次アクティビティ６７Ｂの組合せを有する、ホイル構成設定の例である。原料６０が、流れ方向１４でワイヤー６と共に動くとき、アクティビティは、角度可調ホイル９Ａおよび高さ可調ホイル９Ｂの両方が、ワイヤー６を撓ませることによって、原料６０に付与される。図示のように、原料アクティビティ６６としての乱流が、高さ可調ブレード９Ｂの前縁および角度可調ブレード９Ａの後縁側に形成される。角度可調ホイル９Ａおよび高さ可調ホイル９Ｂの両方が、ワイヤー６と接触していて、水１１を除去している。図示のように、ワイヤー６が流れ方向１４に動くとき、原料アクティビティ６６は、増大する。
【００７４】
図１４Ｄは、第１の区分１３２である、ホイル区分８の側面図である。示すように、ホイル区分８は、角度可調ホイル９Ａ、高さ可調ホイル９Ｂ、および静的ホイル９Ｃを含む。
【００７５】
図１５Ａは、原料アクティビティ６６の大部分が、３次アクティビティ６７Ｃである、ホイル構成設定の例である。原料６０が、流れ方向１４でワイヤー６と共に動くとき、アクティビティは、示すように、原料６０に付与されない。水１１が、除去されるが、低量のアクティビティが、ワイヤー６に付与されるように、高さ可調ホイル９Ｂは、静的ホイル９Ｃと同じ平面でワイヤー６と接触している。
【００７６】
図１５Ｂは、原料アクティビティ６６および振幅６８が、図１５Ａのホイル構成と比較して増大される、ホイル構成設定の例であり、ホイル構成設定は、１次アクティビティ６７Ａおよび２次アクティビティ６７Ｂの組合せを有する。原料６０が、流れ方向１４でワイヤー６と共に動くとき、アクティビティは、高さ可調ホイル９Ｂが、静的ホイル９Ｃの間でワイヤー６を撓ませることによって、原料６０に付与される。静的ホイル９Ｃおよび高さ可調ホイル９Ｂの両方が、ワイヤー６と接触していて、水１１を除去している。図示のように、ワイヤー６が、流れ方向１４に動くとき、原料アクティビティ６６は、増大する。図示のように、ワイヤー６が流れ方向１４に動くとき、原料アクティビティ６６は、高さ可調ホイル９Ｂの後側で増大する。
【００７７】
図１５Ｃは、第２の区分１３４であるホイル区分８の側面図である。ホイル区分８は、交互に並ぶ静的ホイル９Ｃおよび高さ可調ホイル９Ｂを含む。
【００７８】
図１６Ａは、原料アクティビティ６６の大部分が３次アクティビティ６７Ｃである、ホイル構成設定の例である。原料６０が、流れ方向１４でワイヤー６と共に動くとき、アクティビティは、示すように、原料６０に付与されない。水１１が、除去されるが、低量のアクティビティが、ワイヤー６に付与されるように、角度可調ホイル９Ａは、静的ホイル９Ｃと同じ平面でワイヤー６と接触している。
【００７９】
図１６Ｂは、原料アクティビティ６６が、１次アクティビティ６７Ａおよび２次アクティビティ６７Ｂの組合せを有する、ホイル構成設定の例である。原料６０が、流れ方向１４でワイヤー６と共に動くとき、アクティビティは、角度可調ホイル９Ａが、静的ホイル９Ｃの間でワイヤー６を撓ませることによって、原料６０に付与される。角度可調ホイル９Ａおよび静的ホイル９Ｃの両方が、ワイヤー６と接触していて、水１１を除去している。図示のように、ワイヤー６が流れ方向１４に動くとき、原料アクティビティ６６および振幅６８が、増大する。原料アクティビティ６６は、振幅６８を増大させることを支援する角度可調ホイル９Ａの後側で生み出される。
【００８０】
図１６Ｃは、第３の区分１３６であるホイル区分８の側面図である。ホイル区分８は、端部の静的ホイル９Ｃと、静的ホイル９Ｃの間の角度可調ホイル９Ａとを含む。
【００８１】
図１７Ａは、監視領域７０の範囲内での原料アクティビティ６６の分類化を図示するスクリーンショットである。監視領域は、主に１次アクティビティ６７Ａ、若干の２次アクティビティ６７Ｂ、および若干の断続的な３次アクティビティ６７Ｃを含む。
【００８２】
図１７Ｂは、監視領域７０の範囲内での原料アクティビティ６６の分類化を図示するスクリーンショットである。監視領域は、主に１次アクティビティ６７Ａ、若干の２次アクティビティ６７Ｂ、および若干の断続的な３次アクティビティ６７Ｃを含む。１次アクティビティ６７Ａの量は、図１７Ａのスクリーンショットと比較して減少されており、３次アクティビティ６７Ｃは、図１７Ｂでは、図１７Ａと比較して増大されている。
【００８３】
図１７Ｃは、監視領域７０の範囲内での原料アクティビティ６６の分類化を図示するスクリーンショットである。監視領域は、主に１次アクティビティ６７Ａ、若干の２次アクティビティ６７Ｂ、および若干の断続的な３次アクティビティ６７Ｃを含む。３次アクティビティ６７Ｃは、図１７Ｃでは、図１７Ａおよび図１７Ｂよりもより大きく、１次アクティビティ６７Ａは、図１７Ｃでは、図１７Ａおよび図１７Ｂと比較して最も小さい。
【００８４】
図１７Ｄは、監視領域７０の範囲内での原料アクティビティ６６の分類化を図示するスクリーンショットである。監視領域は、主に１次アクティビティ６７Ａ、若干の２次アクティビティ６７Ｂ、および若干の断続的な３次アクティビティ６７Ｃを含む。３次アクティビティ６７Ｃは、図１７Ｄでは、図１７Ａ、図１７Ｂ、および図１７Ｃよりもより大きく、１次アクティビティ６７Ａは、図１７Ｄでは、図１７Ａ、図１７Ｂ、および図１７Ｃと比較して最も小さい。図１７Ａ〜図１７Ｄは、流れ方向におけるスクリーンショットの進行であり、水が原料から除去されるとき、原料のアクティビティレベルが減少することを実証している。
【００８５】
何らかの低い方の値と何らかの高い方の値との間で少なくとも２つのユニットに分かれているのであれば、本明細書に詳述されるどのような数値も、１ユニット単位で、低い方の値から上の方の値まで全ての値を含む。一例として、構成要素の量、または例えば温度、圧力、時間等などのプロセス変数の値が、例えば１から９０まで、好ましくは２０から８０まで、より好ましくは３０から７０までであると述べられている場合、１５から８５、２２から６８、４３から５１、３０から３２他などの値は、本明細書に明確に列挙されているものと意図されている。１未満である値では、状況に応じて、１つのユニットは、０．０００１、０．００１、０．０１、または０．１であると考えられる。これらは、特に意図されているものの単なる例であり、列挙された最低値と最高値との間の数値のあらゆる可能な組合せが、同じように本出願において明確に述べられていると考えられるべきである。
【００８６】
特に明記しない限り、全ての値域は、両方の端点および端点間の全ての数を含む。値域に関連して「約」または「およそ」を使用する場合、値域の両端に適用される。したがって、「約２０から３０」は、少なくとも指定された両端を含めて、「約２０から約３０」を包括するように意図されている。
【００８７】
特許出願および特許公開を含む、全ての論文および参考文献の開示は、あらゆる目的のために参考文献として援用される。「本質的に構成される」という組合せを説明する用語は、特定された要素、成分、構成要素、またはステップ、および組合せの基本的で新しい特性に実質的に影響を及ぼさないような他の要素、成分、構成要素、またはステップを含む。要素、成分、構成要素、またはステップの組合せについて説明する「備える」または「含む」という用語を本明細書で使用する場合には、さらに、要素、成分、構成要素、またはステップでほとんど構成される、またはまさにそれらで構成される実施形態を想定する。
【００８８】
複数の要素、成分、構成要素、またはステップは、単一の統合された要素、成分、構成要素、またはステップによって提供されることができる。あるいは、単一の統合された要素、成分、構成要素、またはステップは、別々の複数の要素、成分、構成要素、またはステップに分割されることもあり得る。要素、成分、構成要素またはステップを説明するための「ａ」または「１つ」の開示は、追加的要素、成分、構成要素、またはステップに担保権を行使することを目的としない。
【００８９】
前述の説明は、例示的であり限定的ではないように意図されることを理解されたい。当業者が、前述の説明を読めば、提示した例の他に、多くの実施形態ならびに多くの適用が明らかとなるであろう。したがって、本発明の範囲は、前述の説明を参照しながら決定されるべきではなく、代わりに、添付の請求の範囲、ならびに当該特許請求の範囲が権利を与えられた等価物の全範囲を参照して決定されなければならない。特許出願および特許公開を含むあらゆる論文および参考文献の開示は、あらゆる目的のために援用される。本明細書に開示される主題の何らかの態様が、後続の特許請求の範囲で省略されても、当該主題を権利放棄するわけではなく、そしてまた、発明者が、当該主題を開示された発明の主題の一部であると考えなかったとみなされてはならない。
【符号の説明】
【００９０】
２  抄紙機
３  スライス開口
４  ヘッドボックス
５  ブレストロール
６  ワイヤー
７  フォーミングボード
８  ホイル区分
９  ホイル
９Ａ  角度可調ホイル
９Ｂ  高さ可調ホイル
９Ｃ  静的ホイル
１０  クーチロール
１１  除去された水
１２  ドライライン
１４  流れ方向
１６  原料噴射
１８  ウェットエンド
２０  監視システム
２２  照明
２４  センサ
２５  可動センサ
２６  高角度センサ
２８  低角度センサ
３０  レベルデバイス
４０  制御システム
４２  制御装置
６０  原料
６２  繊維
６４  水
６６  原料アクティビティ
６７Ａ  １次アクティビティ
６７Ｂ  ２次アクティビティ
６７Ｃ  ３次アクティビティ
６８  振幅
７０  監視領域
７２  アクティビティ測定
７４  アクティビティライン
７６  ウェットライン
７８  原料アクティビティライン
１００  プロセス
１０２  監視されたアクティビティ
１０４  基準アクティビティ
１０６  １０２と１０４との間の変化
１０８  振幅変化を地合に対する影響に相関させる
１１０  地合がどのように見えるのかを予測する
１１２  予測された地合を目標地合と比較する
１１４  １１０と１１２との間の違い
１１６  どのくらいの量のブレード変化が、地合エラー１１４を除去するのに必要であるのかを関連付ける
１１８  ブレード位置を変更する
１２０  抄紙機パラメータを調整する
１２２  スライス開口、粘度、ブレード角、ブレード高さを変更する
１２４  再調査して動く
１２６  パラメータでのアクティビティ
１２８  次の区分に動いて、ステップを繰り返す
１３０  フォーミング区分
１３２  第１の区分
１３４  第２の区分
１３６  第３の区分
【図１Ａ】
2019501305.tif 000003
【図１Ｂ】
2019501305.tif 000004
【図１Ｃ】
2019501305.tif 000005
【図１Ｄ】
2019501305.tif 000006
【図２Ａ】
2019501305.tif 000007
【図２Ｂ】
2019501305.tif 000008
【図３Ａ】
2019501305.tif 000009
【図３Ｂ】
2019501305.tif 000010
【図４】
2019501305.tif 000011
【図５】
2019501305.tif 000012
【図６】
2019501305.tif 000013
【図７Ａ】
2019501305.tif 000014
【図７Ｂ】
2019501305.tif 000015
【図８Ａ】
2019501305.tif 000016
【図８Ｂ】
2019501305.tif 000017
【図９】
2019501305.tif 000018
【図１０Ａ】
2019501305.tif 000019
【図１０Ｂ】
2019501305.tif 000020
【図１１】
2019501305.tif 000021
【図１２】
2019501305.tif 000022
【図１３】
2019501305.tif 000023
【図１４Ａ】
2019501305.tif 000024
【図１４Ｂ】
2019501305.tif 000025
【図１４Ｃ】
2019501305.tif 000026
【図１４Ｄ】
2019501305.tif 000027
【図１５Ａ】
2019501305.tif 000028
【図１５Ｂ】
2019501305.tif 000029
【図１５Ｃ】
2019501305.tif 000030
【図１６Ａ】
2019501305.tif 000031
【図１６Ｂ】
2019501305.tif 000032
【図１６Ｃ】
2019501305.tif 000033
【図１７Ａ】
2019501305.tif 000034
【図１７Ｂ】
2019501305.tif 000035
【図１７Ｃ】
2019501305.tif 000036
【図１７Ｄ】
2019501305.tif 000037
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
ａ．抄紙機上の原料のアクティビティを監視する１つまたは複数のセンサと、
ｂ．前記１つまたは複数のセンサおよび前記抄紙機内の１つまたは複数のホイル区分と通信している制御システムとを備え、
前記制御システムが、前記原料の前記アクティビティを測定して、前記１つまたは複数のホイル区分の角度、高さ、または両方が、前記原料の前記アクティビティを変更するために調整されるように、前記アクティビティを前記原料の中の繊維の地合に相関させ、
前記１つまたは複数のセンサが、前記抄紙機の側部に沿って位置付けられ、前記抄紙機上のワイヤーと実質的に平行な方向で、前記抄紙機を監視する１つまたは複数の低角度センサであり、前記１つまたは複数の低角度センサが、前記原料の前記振幅を測定する、監視システム。
【請求項２】
前記アクティビティが、前記１つまたは複数のホイル区分に対する所定領域での前記振幅、サイズ、スケール、アクティビティの所要時間、またはその組合せである、請求項１に記載の監視システム。
【請求項３】
前記１つまたは複数の低角度センサが、前記抄紙機のヘッドボックスとクーチロールとの間に位置付けられる複数の低レベルセンサであり、前記複数の低レベルセンサが、前記抄紙機のワイヤーと同一平面上にある少なくとも一部分を有する、請求項１または２に記載の監視システム。
【請求項４】
前記１つまたは複数のセンサが、１つまたは複数の高角度センサであり、前記１つまたは複数の高角度センサが、前記抄紙機のワイヤーに対してある角度に位置付けられる、請求項１〜３のいずれか一項に記載の監視システム。
【請求項５】
ａ．抄紙機上の原料のアクティビティを監視する１つまたは複数のセンサと、
ｂ．前記１つまたは複数のセンサおよび前記抄紙機内の１つまたは複数のホイル区分と通信している制御システムとを備え、
前記制御システムが、前記原料の前記アクティビティを測定して、前記１つまたは複数のホイル区分の角度、高さ、または両方が、前記原料の前記アクティビティを変更するために調整されるように、前記アクティビティを前記原料の中の繊維の地合に相関させ、
監視システムが、レベルデバイスを含み、前記１つまたは複数のセンサが、前記レベルデバイスによって形成されたアクティビティラインより上方の前記原料の振幅である、前記原料の前記アクティビティを測定し、所定区域内での前記原料の前記アクティビティ、振幅、サイズ、スケール、アクティビティの所要時間、またはその組合せが、前記所定領域内の前記１つまたは複数のセンサによって捕捉された輝点、多数のディンプル、または両方の密度である、監視システム。
【請求項６】
前記１つまたは複数のセンサが、超音波、赤外線、ＣＭＯＳセンサ、電荷結合素子、マトリクスカメラ、エリアスキャンカメラ、ラインスキャンカメラ、マイクロ波、温度センサ、原子核、静電容量、圧力、真空、またはその組合せである、請求項５に記載の監視システム。
【請求項７】
ヘッドボックスから出る原料噴射、フォーミングボードの場所、前記ヘッドボックスに対する前記フォーミングボードの場所、前記原料噴射の角度、ワイヤーに対する前記原料噴射の衝突角度、カットスルー、またはその組合せを監視する、前記監視システムが、フォーミングボードの前で、前記フォーミングボードの後での前記１つまたは複数のフォーミング区分の各ホイルで、または両方で、前記原料から除去された水の量を測定する、または両方をする、請求項５または６に記載の監視システム。
【請求項８】
ａ．抄紙機の１つまたは複数の領域を監視して、前記１つまたは複数の領域の現在のアクティビティを取得することと、
ｂ．前記現在のアクティビティを基準アクティビティとそれぞれ比較して、前記１つまたは複数の領域のアクティビティの違いを決定すること、
とを含む方法であって、
予測された地合を発生させるために、前記現在のアクティビティに基づいて前記抄紙機から紙の地合を予測するステップを含む、方法。
【請求項９】
前記方法が、アクティビティの違い、振幅の違い、サイズの違い、スケールの違い、アクティビティの所要時間の違い、またはそれらの組合せに基づいて前記抄紙機の１つまたは複数のホイルを調整することのステップを含む、請求項８に記載の方法。
【請求項１０】
前記１つまたは複数のセンサが、超音波、赤外線、ＣＭＯＳセンサ、電荷結合素子、マトリクスカメラ、エリアスキャンカメラ、ラインスキャンカメラ、マイクロ波、温度センサ、原子核、静電容量、圧力、真空、またはその組合せである、請求項１〜４のいずれか一項に記載の監視システム。
【請求項１１】
ヘッドボックスから出る原料噴射、フォーミングボードの場所、前記ヘッドボックスに対する前記フォーミングボードの場所、前記原料噴射の角度、ワイヤーに対する前記原料噴射の衝突角度、カットスルー、またはその組合せを監視する、前記監視システムが、フォーミングボードの前で、前記フォーミングボードの後での前記１つまたは複数のフォーミング区分の各ホイルで、または両方で、前記原料から除去された水の量を測定する、または両方をする、請求項１〜４のいずれか一項に記載の監視システム。
【国際調査報告】
2019501305.tif 000038
2019501305.tif 000039
2019501305.tif 000040